(57)【要約】本開示の方法、キット、及びシステムは、血液などの臨床試料の採取、調製、処理、及び／または分析を提供する。本開示の方法、キット、及びシステムは、薬物、栄養物、または代謝物の存在及び／または量を正確に試験するために、水及び安定化溶媒（例えば、イソプロパノール）を含む生体適合性溶液を使用する。【選択図】図１
2021503609.tif 000002
【特許請求の範囲】
【請求項１】
検体を検出する方法であって、
試料及び生体適合性溶液を含有する試験溶液のアッセイを実施するステップと、
前記試料中の検体の存在及び／または濃度を検出するステップと、を有し、
前記生体適合性溶液が、安定化溶媒及び水を含有し、
前記試料が、毛細管マイクロサンプリング（ＣＭＳ）法を用いて採取されることを特徴とする方法。
【請求項２】
検体を検出する方法であって、
試料及び生体適合性溶液を含有する試験溶液のアッセイを実施するステップと、
前記試料中の検体の存在及び／または濃度を検出するステップと、を有し、
前記生体適合性溶液が、安定化溶媒及び水を含有し、
前記試料の量が、１〜５０μＬであることを特徴とする方法。
【請求項３】
アッセイを実施する方法であって、
試料及び生体適合性溶液を含有する試験溶液のアッセイを実施するステップを有し、
前記試料の量が、１〜５０μＬであり、
当該アッセイのエラー率が、２０％未満であることを特徴とする方法。
【請求項４】
対象から採取した試料中の検体を連続的にモニタリングする方法であって、
毛細管マイクロサンプリング（ＣＭＳ）法を用いて採取した試料を生体適合性溶液に添加するステップを有し、
前記生体適合性溶液が、水及び安定化溶媒を含有し、
前記安定化溶媒が、メタノール、エタノール、イソプロパノール、またはそれらの任意の組み合わせを含み、かつ、
１以上の前記試料が、指定された時間間隔で採取されることを特徴とする方法。
【請求項５】
請求項４に記載の方法であって、
１以上の前記試料を比較するステップをさらに有することを特徴とする方法。
【請求項６】
検体を検出するための試料を調製する方法であって、
毛細管マイクロサンプリング（ＣＭＳ）法を用いて採取した試料を、水及び安定化溶媒を含有する生体適合性溶液に添加するステップを有し、
前記安定化溶媒が、メタノール、エタノール、イソプロパノール、またはそれらの任意の組み合わせを含むことを特徴とする方法。
【請求項７】
請求項１〜６のいずれかに記載の方法であって、
前記試料が、診断検査に使用される生物学的流体であることを特徴とする方法。
【請求項８】
請求項７に記載の方法であって、
前記生物学的流体が、血液、尿、涙、唾液、汗、精子、または脳脊髄液であることを特徴とする方法。
【請求項９】
請求項８に記載の方法であって、
前記生物学的流体が、新生児血液であることを特徴とする方法。
【請求項１０】
請求項１〜９のいずれかに記載の方法であって、
前記検体が、薬物、栄養素、または代謝物であることを特徴とする方法。
【請求項１１】
請求項１〜３のいずれかに記載の方法であって、
前記安定化溶媒が、メタノール、エタノール、イソプロパノール、またはそれらの任意の組み合わせを含むことを特徴とする方法。
【請求項１２】
請求項１〜１１のいずれかに記載の方法であって、
前記安定化溶媒が、イソプロパノールを含むことを特徴とする方法。
【請求項１３】
請求項１〜１１のいずれかに記載の方法であって、
前記安定化溶媒が、臨床現場に適した溶媒であることを特徴とする方法。
【請求項１４】
請求項１〜１３のいずれかに記載の方法であって、
前記生体適合性溶液が、前記安定化溶媒を１０〜７５ｖ／ｖ％の割合で含有することを特徴とする方法。
【請求項１５】
請求項１〜１４のいずれかに記載の方法であって、
前記生体適合性溶液が、アセトニトリルを実質的に含有しないことを特徴とする方法。
【請求項１６】
請求項１〜１５のいずれかに記載の方法であって、
前記アッセイが、診断検査に使用される標準的な分析方法であることを特徴とする方法。
【請求項１７】
請求項１６に記載の方法であって、
前記分析方法が、質量分析法、クロマトグラフィ法、電気泳動法、または酵素結合免疫吸着検定法（ＥＬＩＳＡ）であることを特徴とする方法。
【請求項１８】
請求項１〜１７のいずれかに記載の方法であって、
前記対象から採取される前記試料の量が、２〜５０μＬであることを特徴とする方法。
【請求項１９】
請求項１〜１８のいずれかに記載の方法であって、
前記試料が、前記生体適合性溶液によって約１０倍に希釈されることを特徴とする方法。
【請求項２０】
請求項１に記載の方法であって、
前記試料を冷却するステップをさらに有することを特徴とする方法。
【請求項２１】
キットであって、
毛細管作用によって対象から試料を採取するように構成された容器と、
生体適合性溶液と、
使用説明書と、を備えることを特徴とするキット。
【請求項２２】
請求項２１に記載のキットであって、
前記生体適合性溶液が、水及び安定化溶媒を含有することを特徴とするキット。
【請求項２３】
請求項２２に記載のキットであって、
前記安定化溶媒が、メタノール、エタノール、イソプロパノール、またはそれらの任意の組み合わせを含むことを特徴とするキット。
【請求項２４】
請求項２３に記載のキットであって、
前記生体適合性溶液が、イソプロパノール及び水を含有することを特徴とするキット。
【請求項２５】
請求項２１〜２４のいずれかに記載のキットであって、
対象の皮膚を穿刺するように構成された器具をさらに備えることを特徴とするキット。
【請求項２６】
検体を検出する方法であって、
試料及び生体適合性溶液を含有する試験溶液のアッセイを実施するステップと、
前記試料中の検体の存在及び／または濃度を検出するステップと、を有し、
前記生体適合性溶液は、安定化溶媒及び水を含有し、
前記試料が、毛細管マイクロサンプリング（ＣＭＳ）法を用いて採取され、
前記試料の量が、１〜５０μＬの量であり、かつ、
前記安定化溶媒が、イソプロパノールを含むことを特徴とする方法。
【請求項２７】
請求項２６に記載の方法であって、
前記試料が、診断検査に使用される生物学的流体であることを特徴とする方法。
【請求項２８】
請求項２７に記載の方法であって、
前記生物学的流体が、血液、尿、涙、唾液、汗、精子、または脳脊髄液であることを特徴とする方法。
【請求項２９】
請求項２８に記載の方法であって、
前記生物学的流体が、新生児血液であることを特徴とする方法。
【請求項３０】
請求項２６に記載の方法であって、
前記試料が、臨床現場で前記対象から採取されることを特徴とする方法。
【請求項３１】
請求項２６に記載の方法であって、
前記検体が、薬物、栄養素、または代謝物であることを特徴とする方法。
【請求項３２】
請求項３１に記載の方法であって、
前記代謝物が、遺伝性疾患または薬物代謝物のマーカーであることを特徴とする方法。
【請求項３３】
請求項２６に記載の方法であって、
前記安定化溶媒が、臨床現場に適した溶媒であることを特徴とする方法。
【請求項３４】
請求項２６に記載の方法であって、
前記生体適合性溶液が、前記安定化溶媒を１０〜７５ｖ／ｖ％の割合で含有することを特徴とする方法。
【請求項３５】
請求項２６に記載の方法であって、
前記生体適合性溶液が、アセトニトリルを実質的に含有しないことを特徴とする方法。
【請求項３６】
請求項２６に記載の方法であって、
前記アッセイが、診断検査に使用される標準的な分析方法であることを特徴とする方法。
【請求項３７】
請求項３６に記載の方法であって、
前記分析方法が、質量分析法、クロマトグラフィ法、電気泳動法、または酵素結合免疫吸着検定法（ＥＬＩＳＡ）であることを特徴とする方法。
【請求項３８】
請求項２６に記載の方法であって、
前記対象から採取される前記試料の量が、４〜１０μＬであることを特徴とする方法。
【請求項３９】
請求項２６に記載の方法であって、
前記対象から採取される前記試料の量が、８μＬであることを特徴とする方法。
【請求項４０】
請求項２６に記載の方法であって、
前記試料が、前記生体適合性溶液によって約１０倍に希釈されることを特徴とする方法。
【請求項４１】
請求項２６に記載の方法であって、
前記アッセイを実施する前に、前記試料を冷却するステップをさらに有することを特徴とする方法。
【発明の詳細な説明】
【技術分野】
【０００１】
（関連出願）
本出願は、２０１７年１１月１日出願の米国特許仮出願第６２／５８０、２７７号、及び２０１８年１月１０日出願の米国特許仮出願第６２／６１５、５７６号に基づく優先権を主張するものである。上記の各出願の開示内容は、参照により本明細書中に援用される。
【０００２】
（連邦政府による資金提供を受けた研究開発の記載）
本発明は、米国国立衛生研究所から交付された助成金番号５Ｒ０１ＨＤ０７０７９５の下に、米国政府の支援を受けてなされた。米国政府は本発明において一定の権利を有する。
【０００３】
（発明の分野）
本発明は、薬物または代謝物の濃度の診断測定に関する。
【背景技術】
【０００４】
医学の多くの分野では、診断検査から得られる結果は、適切な診断及び治療のために重要である。しかしながら、臨床検査のための既存のシステム及び方法は、多くの欠点を有する。現在、現行の方法では、少量の血液を正確に検査することができない。さらに、多くの現行の尿検査方法は容易に妨げられ、それにより、検査結果の正確性が損なわれる。
【０００５】
ＤＢＳ法は、静脈切開術を必要とせず、ＤＢＳを容易に保存でき、かつ、ＤＢＳを分析施設に郵送できるので、１９６３年以来、新生児に対して実施される診断検査に選択されている。近年では、ＤＢＳ法は、治療指数が低い薬物の濃度をモニタリングし、トランスクリプトーム変化を分析し、バイオマーカーを測定するため使用されている。
【０００６】
ＤＢＳを調製するために、ピンプリックにより採取した標準量の血液（通常、４０〜５０マイクロリットル）を、ろ紙上の予め印刷された円（通常、対象あたり２〜４個の円）内にスポットする（滴下させる）。血液を乾燥させた後、ろ紙から溶出した物質を分析する。
【０００７】
ＤＢＳ測定のほとんどは、遺伝子検査のためである。この場合、特定の代謝物の存在の有無が判定され、検体の量を正確に定量する必要はない。しかしながら、薬物検査の場合、検体の量の測定は、高い精度を必要とする。ＤＢＳ測定を正確に行うためには、標準血液量を、予め印刷された円内にスポットする必要がある。不均等性はばらつきを生じさせるので、検体を効率的にろ紙上にスポットし、ろ紙から溶出させる必要がある。さらに、とりわけ乳児は、様々な遺伝性疾患（フェニルケトン尿症、メープルシロップ尿症など）についてスクリーニングされる。このような検査、とりわけ検体または薬物の濃度が変化したかどうかを評価する検査には、慎重な定量を必要とする。
【０００８】
もし、小量の試料（例えば血液）を低侵襲的に採取することができ、かつ、試料中の検体を正確に測定することができれば、ヘルスケアを改善することが可能となる。本開示は、このような課題を解決するとともに、様々な利点を提供する。
【発明の概要】
【発明が解決しようとする課題】
【０００９】
治療の質を改善する、より迅速かつ正確な診断法が求められている。特に、診断検査用の試料を採取、調製、及び分析するための改善された方法が強く求められている。さらに、医療専門家によって信頼されるデータの生成を可能にする、容易にアクセス可能な試料収集サイトが求められている。
【００１０】
早期介入を可能にし、それにより、ばらつきがほとんどなく、かつヒューマンエラーが少ない高品質のケアを患者に提供するシステム及び診断法がさらに求められている。本明細書に開示されるシステム及び方法は、上記の課題を解決するとともに、関連する利点を提供する。
【課題を解決するための手段】
【００１１】
本開示は、血液などの少量の試料を調製及び検査する方法であって、ＤＢＳ測定よりもはるかに正確な方法を提供する。本明細書に記載される方法は、イソプロパノールなどの臨床現場に対して安全な溶媒を使用する。一実施形態では、本開示の方法は、１０マイクロリットル以下の血液、例えば８マイクロリットルしか必要としない。重要なことには、イソプロパノールは、一般的に使用される溶媒である。イソプロパノールは、ＤＮＡまたはＲＮＡの沈殿などの様々な分析目的でよく使用される。また、イソプロパノールは、ＨＰＬＣ、質量分析法、その他の分析法に用いられる様々なカラムクロマトグラフィ法における溶媒としてよく使用される。しかしながら、本開示は、イソプロパノールが、新規な有用性を有することを明らかにする。イソプロパノールは、非常に少量の生体試料が添加される安定化溶媒として使用することができ、これにより、非常に少量の生体試料を、様々な重要な薬物及び代謝物の濃度を測定するための分析検査に使用することが可能となる。
【００１２】
いくつかの態様では、本開示は、検体を検出する方法であって、（ａ）試料及び生体適合性溶液を含有する試験溶液のアッセイを実施するステップと、（ｂ）試料中の検体の存在及び／または濃度を検出するステップと、を有し、生体適合性溶液が、安定化溶媒及び水を含有し、試料が、毛細管マイクロサンプリング（ＣＭＳ）法を用いて採取されることを特徴とする方法を提供する。
【００１３】
いくつかの態様では、本開示は、検体を検出する方法であって、（ａ）試料及び生体適合性溶液を含有する試験溶液のアッセイを実施するステップと、（ｂ）試料中の検体の存在及び／または濃度を検出するステップと、を有し、生体適合性溶液が、安定化溶媒及び水を含有し、試料の量が、１〜５０μＬであることを特徴とする方法を提供する。
【００１４】
いくつかの態様では、本開示は、アッセイを実施する方法であって、試料及び生体適合性溶液を含有する試験溶液のアッセイを実施するステップを有し、試料の量が、１〜５０μＬであり、当該アッセイのエラー率が、２０％未満であることを特徴とする方法を提供する。
【００１５】
いくつかの態様では、本開示は、対象から採取した試料中の検体を連続的にモニタリングする方法であって、毛細管マイクロサンプリング（ＣＭＳ）法を用いて採取した試料を生体適合性溶液に添加するステップを有し、生体適合性溶液が、水及び安定化溶媒を含有し、安定化溶媒が、メタノール、エタノール、イソプロパノール、またはそれらの任意の組み合わせを含み、かつ、１以上の試料が、指定された時間間隔で採取されることを特徴とする方法を提供する。いくつかの実施形態では、本方法は、１以上の試料を比較するステップをさらに有する。
【００１６】
いくつかの態様では、本開示は、検体を検出するための試料を調製する方法であって、毛細管マイクロサンプリング（ＣＭＳ）法を用いて採取した試料を、水及び安定化溶媒を含有する生体適合性溶液に添加するステップを有し、安定化溶媒が、メタノール、エタノール、イソプロパノール、またはそれらの任意の組み合わせを含むことを特徴とする方法を提供する。
【００１７】
本開示の方法のいくつかの実施形態では、試料は、診断検査に使用される生物学的流体である。生物学的流体は、血液、尿、涙、唾液、汗、精子、または脳脊髄液であり得る。いくつかの実施形態では、生物学的流体は、新生児血液である。
【００１８】
本開示の方法のいくつかの実施形態では、検体は、薬物、栄養素、または代謝物である。
【００１９】
本開示の方法のいくつかの実施形態では、安定化溶媒は、メタノール、エタノール、イソプロパノール、またはそれらの任意の組み合わせを含む。安定化溶媒は、イソプロパノールであり得る。いくつかの実施形態では、安定化溶媒は、臨床現場に適した溶媒である。
【００２０】
本開示の方法のいくつかの実施形態では、生体適合性溶液は、安定化溶媒を１０〜７５ｖ／ｖ％の割合で含有する。いくつかの実施形態では、アセトニトリルを実質的に含有しない。
【００２１】
本開示の方法のいくつかの実施形態では、アッセイは、診断検査に使用される標準的な分析方法である。分析方法は、質量分析法、クロマトグラフィ法、電気泳動法、または酵素結合免疫吸着検定法（ＥＬＩＳＡ）であり得る。
【００２２】
本開示の方法のいくつかの実施形態では、対象から採取される試料の量は、２〜５０μＬである。いくつかの実施形態では、試料は、生体適合性溶液によって約１０倍に希釈される。
【００２３】
本開示の方法のいくつかの実施形態では、本開示の方法は、試料を冷却するステップをさらに有する。
【００２４】
いくつかの態様では、本開示は、キットであって、（ａ）毛細管作用によって対象から試料を採取するように構成された容器と、（ｂ）生体適合性溶液と、（ｃ）使用説明書と、を備えることを特徴とするキットを提供する。
【００２５】
本開示のキットのいくつかの実施形態では、生体適合性溶液は、水及び安定化溶媒を含有する。安定化溶媒は、メタノール、エタノール、イソプロパノール、またはそれらの任意の組み合わせを含み得る。いくつかの実施形態では、生体適合性溶液は、イソプロパノール及び水を含有する。
【００２６】
本開示のキットのいくつかの実施形態では、本開示のキットは、対象の皮膚を穿刺するように構成された器具をさらに備える。
【００２７】
いくつかの態様では、本開示は、検体を検出する方法であって、（ａ）試料及び生体適合性溶液を含有する試験溶液のアッセイを実施するステップと、（ｂ）試料中の検体の存在及び／または濃度を検出するステップと、を有し、生体適合性溶液は、安定化溶媒及び水を含有し、試料が、毛細管マイクロサンプリング（ＣＭＳ）法を用いて採取され、試料の量が、１〜５０μＬの量であり、かつ、安定化溶媒が、イソプロパノールを含むことを特徴とする方法を提供する。
【００２８】
いくつかの実施形態では、試料は、診断検査に使用される生物学的流体である。生物学的流体は、血液、尿、涙、唾液、汗、精子、または脳脊髄液であり得る。いくつかの実施形態では、生物学的流体は、新生児血液である。いくつかの実施形態では、試料は、臨床現場で対象から採取される。
【００２９】
いくつかの実施形態では、検体は、薬物、栄養素、または代謝物である。いくつかの実施形態では、代謝物は、遺伝性疾患または薬物代謝物のマーカーである。
【００３０】
安定化溶媒は、臨床現場に適した溶媒であり得る。
【００３１】
いくつかの実施形態では、生体適合性溶液は、安定化溶媒を１０〜７５ｖ／ｖ％の割合で含有し得る。
【００３２】
いくつかの実施形態では、生体適合性溶液は、アセトニトリルを実質的に含有しない。
【００３３】
いくつかの実施形態では、アッセイは、診断検査に使用される標準的な分析方法である。分析方法は、質量分析法、クロマトグラフィ法、電気泳動法、または酵素結合免疫吸着検定法（ＥＬＩＳＡ）であり得る。
【００３４】
約４〜１０μＬの試料が、対象から採取され得る。いくつかの実施形態では、８μＬの試料が、対象から採取される。いくつかの実施形態では、試料は、生体適合性溶液によって約１０倍に希釈される。
【００３５】
本開示の方法は、アッセイを実施する前に、試料を冷却するステップをさらに有し得る。
【図面の簡単な説明】
【００３６】
様々な態様、特徴、実施形態、及び実施例の説明が、添付図面を参照して本明細書に提供され、以下に簡潔に説明される。添付図面は、１または複数の態様、特徴、実施形態、及び／または実施例の全体または一部を示す。添付図面は例示的なものであり、必ずしも縮尺で描かれているわけではない。
【００３７】
本発明の新規な特徴は、とりわけ、添付の特許請求の範囲に記載される。本発明の特徴及び利点のより良い理解は、本発明の原理を利用する例示的な実施形態を説明する以下の詳細な説明、及び添付図面を参照することによって得られるであろう。
【００３８】
【図１】図１は、患者からの血液の採取、調製、処理、及び分析を示す。
【図２Ａ】図２Ａは、互いに異なる２つの方法によって血液試料を採取した２０人の健康な成人の試料において測定されたオンダンセトロン濃度（ｎｇ／ｍｌ）［ＯＮＤＳ］を示す。
【図２Ｂ】図２Ｂは、互いに異なる２つの方法によって血液試料を採取した１９人の新生児の試料において測定されたオンダンセトロン濃度（ｎｇ／ｍｌ）［ＯＮＤＳ］を示す。［ＯＮＤＳ］は、血漿試料（ｘ軸）及び同一の対象から同時に得たＤＢＳ（ｙ軸）で測定した。青色の破線は、これらの試料について決定された傾向線を示す。成人（ｙ＝０．７０６３ｘ、図２Ａ）と乳児（ｙ＝１．４７２６ｘ、図２Ｂ）の傾向線は、明らかに互いに異なる。理論上の赤色の点線（ｙ＝ｘ）は、２つの方法によって同一の［ＯＮＤＳ］を測定した場合に得られる結果を示す。
【図３Ａ】図３Ａは、ＤＢＳ法を用いて測定した［ＯＮＤＳ］を示す標準曲線である。ＤＢＳを調製するために使用した血液中の［ＯＮＤＳ］は、０〜２５０ｎｇ／ｍｌの範囲であり、標準曲線のｒ２は０．９９９、精度は２０％以内であった。これらの試料で測定された濃度（対象試料で測定された高、中、低濃度を表す）はすべて評価に含まれ、精度は２０％以内であった。
【図３Ｂ】図３Ｂ：１２匹のマウスにオンダンセトロン（１０ｍｇ／ｋｇ、経口投与）を投与し、投与後の様々な時点で、全血（ｘ軸）及び血漿（ｙ軸）中の［ＯＮＤＳ］（ｎｇ／ｍｌ）を測定した。青色の傾向線（ｙ＝０．９７３ｘ）と赤色の理論上の点線（ｙ＝ｘ）が示されている。血漿分析では５０μｌの全血が採取され、全血分析では２０μｌの全血が採取された。
【図４Ａ】図４Ａ及び図４Ｂは、ＤＢＳ試料を示す。図４Ａは、検査室でろ紙上に注意深くスポットされたＤＢＳを示す。各ＤＢＳには、様々な濃度のオンダンセトロンが添加された５０μＬの血液が含まれている。
【図４Ｂ】図４Ｂ：臨床現場で看護師が新生児から採取したＤＢＳを含むフィルタペーパーを示す。ＤＢＳの１セットは、均一な血液量（左上）を示したが、他の全てのフィルタ上にスポットした血液量はばらつきが大きかった。同一のろ紙を検査室及び臨床現場の両方で使用したが、臨床現場ではスポットした血液量のばらつきが大きかった。
【図５】図５は、７２μｌの緩衝液及び８μｌのＥＤＴＡ被覆毛細管を含むスクリューキャップバイアルの画像を示す。画像は、ボルテックスする前のチューブ（左側）と、ボルテックスした後のチューブを示す（右側）。
【図６】図６は、毛細管マイクロサンプリング（ＣＭＳ）法によって全血で測定されたオンダンセトロン濃度（ｎｇ／ｍｌ）（ｘ軸）と、血漿で測定されたオンダンセトロン濃度（ｎｇ／ｍｌ）（ｙ軸）を示す。オンダンセトロン（１０ｍｇ／ｋｇ、経口投与）投与後の様々な時点で、１２匹のマウスから血液を採取した。青色の傾向線（ｙ＝０．９４９ｘ）と、赤色の理論上の点線（ｙ＝ｘ）が示されている。重要なことには、ＣＭＳ法では、８マイクロリットルの血液しか分析できない。理論線と傾向線の一致は、ＣＭＳ法により血漿オンダンセトロン濃度を正確に測定されることを示している。
【図７Ａ】図７Ａ及び図７Ｂは、様々な溶液中の［ＯＮＤＳ］の応答比、並びに各試料についての［ＯＮＤＳ］のｉｓｏ−ＣＭＳ及びプラズマ測定値のグラフ表示をそれぞれ示す。図７Ａ：安定化溶媒は、血液のＣＭＳ測定［ＯＮＤＳ］に影響を及ぼさない。これらの分析のために、全血を、７５％の水と、２５％のアセトニトリル、イソプロパノール、メタノール、またはエタノールとを含有する安定化溶液で１０倍に希釈した。標準曲線の生成に関しては、所定の［ＯＮＤＳ］を血液／溶媒マトリックスで希釈し、［ＯＮＤＳ］（範囲：０．２０〜１００ｎｇ／ｍｌ）をＬＣ／ＭＳ分析によって測定した。このグラフは、測定された応答強度（内部標準（ｄ２−オンダンセトロン）を基準に正規化）に対する［ＯＮＤＳ］をプロットしている。様々な安定化溶液において、同一の結果が得られた。
【図７Ｂ】図７Ｂ：マウスをオンダンセトロン（１０または２０ｍｇ／ｋｇ、経口投与、ｎ＝４匹／群）で処理した。血液は、２種類の方法：（ｉ）血漿［ＯＮＤＳ］測定のための２００μｌの全血、または、（ｉｉ）［ＯＮＤＳ］のｉｓｏ−ＣＭＳ測定（安定化溶液としてイソプロパノールを使用）のための８μｌにより、各々のマウスから３０分後に同時に得た。このグラフは、各試料について［ＯＮＤＳ］の等ＣＭＳ測定値と血漿測定値を比較したものである。このグラフの下記の２つの特徴は、血漿測定値とｉｓｏ−ＣＭＳ測定値が、互いに高度に一致することを示した。（１）計算された線（ｙ＝０．９９ｘ）の傾きが、同一性の理論線（ｙ＝ｘ）と実質的に同一である。（２）Ｒ２は０．９３であり、これは、測定点の一致線からの全体的な偏差は非常に小さいことを示す。
【図８】図８は、様々な化学構造を有する薬物及びＩｓｏ−ＣＭＳを用いた薬物の応答比のグラフを示す。ボセンタン、イリノテカン及びその代謝物（ＳＮ−３８）、クレミゾール、及びフロセミドの濃度を測定するｉｓｏ−ＣＭＳ法の性能を試験した。これらの分析のために、全血を、２５％アセトニトリルまたは２５％イソプロパノールと、７５％水とを含有する安定化溶中で１０倍に希釈した。標準曲線の生成のために行うように、各薬物を指示された濃度で血液／溶媒マトリックスで希釈し、公開されている方法を用いてＬＣ／ＭＳ分析によって薬物濃度を測定した。プロットは、測定された応答強度（各薬物の２回重水素化された形で内部標準に対して標準化される）と、各試験薬物の薬物濃度との関係を示す。試験した各々の薬物について、イソプロパノール安定化溶液は、試験した薬物濃度の範囲でアセトニトリル安定化溶液と同じ結果が得られた。
【図９】図９は、０．５〜１０００ｎｇ／ｍｌの範囲の濃度で試験されたフェンタニル、モルヒネ、及びヒドロモルホンの較正曲線を示す。近似曲線とＲ二乗値（すべて＞０．９９）の方程式を図中に示す。
【図１０】図１０は、血漿試料において測定した場合に対応するｉｓｏ−ＣＭＳを用いて測定されたデキサメタゾン濃度（ｎｇ／ｍｌ）を示す。１５人の対象から血漿試料とｉｓｏ−ＣＭＳ試料を同時に採取し、各試料中のデキサメタゾン濃度をＬＣＭＳ分析法により測定した。各データ点は、各対象についてのｉｓｏ−ＣＭＳ試料及び血漿試料の分析によって測定されたデキサメタゾン濃度を示す。ｉｓｏ−ＣＭＳと血漿の測定値の一致を評価したピアソン相関とスピアマン順位相関は、それぞれ、０．９５と０．９３であった。
【図１１】図１１は、血漿試料において測定した場合に対応するｉｓｏ−ＣＭＳによって測定されたメサドン濃度（ｎｇ／ｍｌ）を示す。７人の対象から血漿試料とｉｓｏ−ＣＭＳ試料を同時に採取し、各試料中のメサドン濃度をＬＣＭＳ分析法により測定した。各データ点は、各対象についてのｉｓｏ−ＣＭＳ試料及び血漿試料の分析によって測定されたメサドン濃度を示す。ｉｓｏ−ＣＭＳと血漿の測定値の一致を評価したＲ２は０．９１であった。
【図１２】図１２は、血漿試料で測定した場合に対応するｉｓｏ−ＣＭＳによって測定されたガバペンチン濃度（ｎｇ／ｍｌ）を示す。８人の対象から血漿試料とｉｓｏ−ＣＭＳ試料を同時に採取し、各試料中のガバペンチン濃度をＬＣＭＳ分析法により測定した。各データ点は、各対象についてのｉｓｏ−ＣＭＳ試料及び血漿試料の分析によって測定されたガバペンチン濃度を示す。ｉｓｏ−ＣＭＳと血漿の測定値の一致を評価したＲ２は０．９５であった。
【図１３Ａ】図１３Ａ及び図１３Ｂは、血漿試料において測定した場合に対応する、ｉｓｏ−ＣＭＳによって測定されたオンダンセトロン濃度（ｎｇ／ｍｌ）を示す。図１３Ａ：外科手術患者から同時に採取した血漿試料及びｉｓｏ−ＣＭＳ試料４４個におけるオンダンセトロン濃度をＬＣＭＳ分析によって測定した。各データ点は、各対象についてのｉｓｏ−ＣＭＳ漿試料及び血漿試料の分析によって測定されたオンダンセトロン濃度を示す。ｉｓｏ−ＣＭＳと血漿の測定値の一致を評価したＲ２は０．９９９であった。
【図１３Ｂ】図１３Ｂ：図１３Ａの領域を拡大して、オンダンセトロン濃度が１５〜６０ｎｇ／ｍｌの範囲の試料についての血漿及びＣＭＳの測定値の対応をよりよく示す。
【発明を実施するための形態】
【００３９】
本発明のいくつかの態様を、例示のための例示的な適用例を参照して以下に説明する。本発明の完全な理解を提供するために、様々な具体的な詳細、関係、及び方法が説明されていることを理解されたい。しかし、当業者であれば、本発明は、説明された具体的な詳細のうちの１以上を用いずに、または他の方法を用いて実施できることを容易に理解できるであろう。いくつかの動作は、異なる順序で、及び／または他の動作または事象と同時に発生し得るので、別段の記載がない限り、本発明は、動作または事象の説明された順序に限定されない。さらに、全ての例示された動作または事象が、本発明による方法を実施するために必要とされるわけではない。開示された組成物中の種々の成分の濃度は例示的であり、記載された濃度自体に限定されることを意図するものではない。
【００４０】
本明細書で使用されるセクションの見出しは、体系化のみを目的とするものであり、記載される主題を限定するものとして解釈されるべきではない。
【００４１】
本開示は、生物学的流体の少量の試料中の分子を正確に測定するための方法に関する。試料中の分子は、代謝物、薬物、血液の成分、または、他の分子であり得る。分子の測定は、生理学的マーカーを測定することによって遺伝性疾患を診断すること、または、インビボで薬物の量を測定することであり得る。
【００４２】
定義
【００４３】
別段の定めがない限り、本明細書で使用される全ての技術的及び科学的用語は、本発明が属する技術分野の当業者によって一般的に理解されるものと同じ意味を有する。本明細書で参照される全ての特許及び刊行物は、参照により援用される。
【００４４】
本明細書で使用される用語は、特定の実施形態を説明することのみを目的としており、本発明を限定することを意図するものではない。本明細書で使用される場合、単数形の「１つの（ａ）」、「１つの（ａｎ）」、［その（ｔｈｅ）］は、文脈が明らかにそうでないことを示していない限り、複数形も含むことを意図している。さらに、「含む（ｃｏｍｐｒｉｓｉｎｇ、ｉｎｃｌｕｄｅｓ）」、「有する（ｈａｖｉｎｇ、ｈａｓ、ｗｉｔｈ）」という用語、またはそれらの派生語は、詳細な説明及び／または特許請求の範囲で使用される限り、「含む（ｃｏｍｐｒｉｓｉｎｇ）」という用語と同様に内包的であることを意図している。
【００４５】
本明細書で使用するとき、「対象」または「個体」という用語は、哺乳動物を含む。哺乳動物の非限定的な例には、ヒト及び動物、例えばマウス（トランスジェニック及び非トランスジェニックマウスを含む）が含まれる。本開示の方法は、前臨床のヒト治療、及び獣医学用途の両方の適用において有用であり得る。いくつかの態様では、対象は動物であり、いくつかの態様では、対象はヒトである。他の哺乳動物としては、これに限定しないが、類人猿、チンパンジー、オランウータン、サル、ペット動物（イヌ、ネコ、モルモット、ハムスター、マウス、ラット、ウサギ、フェレットなど）、家畜動物（牛、水牛、バイソン、馬、ロバ、豚、羊、ヤギなど）、または、一般的に動物園で見られる珍しい動物（クマ、ライオン、トラ、ヒョウ、ゾウ、カバ、サイ、キリン、レイヨウ、ナマケモノ、ガゼル、シマウマ、ウィルドビースト、プレーリードッグ、コアラ、カンガルー、パンダ、ジャイアントパンダ、ハイエナ、アザラシ、アシカ、ゾウアザラシなど）が挙げられる。
【００４６】
本明細書で使用するとき、「実質的に含まない」という表現は、特定の成分の含有率が、約１０％未満、５％未満、１％未満、０．５％未満、０．１％未満、またはそれ以下である組成物を指す。例えば、アセトニトリルを実質的に含まない組成物は、アセトニトリルの含有率が約１０％未満であり得る。
【００４７】
本明細書において単数形で表される単語は、その複数の対応物を包含し、本明細書において複数形で現れる単語は、黙示的または明示的に理解されるかまたは別段に記載されない限り、その単数の対応物を包含することを理解されたい。さらに、本明細書に記載された任意の所与の構成要素について、その構成要素について列挙された任意の可能な候補形態または代替形態は、暗黙的または明示的に理解されるかまたは別段に記載されない限り、一般に、個々に使用されるかまたは互いに任意の組み合わせで使用できることが理解されたい。さらに、そのような候補形態または代替形態の任意のリストは、暗黙的または明示的に理解されるかまたは別段に記載されない限り、単なる例示であり、制限ではないことを理解されたい。さらに、本明細書に提示された任意の数字、数、または量は近似的であり、任意の数値範囲は、暗黙的または明示的に理解されるかまたは別段に記載されない限り、「包括的」などの語が使用されるか否かにかかわらず、範囲を定義する最小数及び最大数を包含することを理解されたい。一般的に、数字、数、または量に関連する用語「約」または記号「〜」は、暗黙的または明示的に理解されるかまたは別段に記載されない限り、その±５％の範囲内に数を包含する。さらに、使用されるいかなる見出しも、制限のためではなく便宜のためであることを理解されたい。さらに、暗黙的または明示的に理解されるかまたは別段に記載されない限り、任意の許容的な、開放的なまたは開放的な言語は、それぞれ制限的な言語に対して比較的許容的なもの、閉鎖的な言語に対してあまり開放的でないもの、または閉鎖的な言語に対してあまり開放的でないものを包含することを理解されたい。
【００４８】
本明細書で使用される場合、特に示されない限り、本明細書のいくつかの発明的実施形態は、数値範囲を意図する。本発明の種々の態様は、範囲形式で提示することができる。範囲形式での説明は、単に便宜及び簡潔さのためであり、本発明の範囲に対する融通のきかない制限として解釈されるべきではないことを理解されたい。したがって、範囲の記載は、明示的に記載されているかのように、その範囲内の全ての下位範囲及び個々の数値を具体的に開示したものと見なされるべきである。例えば、１〜６という範囲の記載は、１〜３、１〜４、１〜５、２〜４、２〜６、３〜６などの具体的に開示された部分範囲、及び、例えば、１、２、３、４、５、及び６などのその範囲内の個々の数値を含むと見なされるべきである。これは、範囲の幅に関係なく適用される。範囲が存在する場合、範囲には範囲の端点が含まれる。
【００４９】
薬物検査の課題
【００５０】
オピオイド乱用の蔓延は、過去１０年間にわたって米国に大きな影響を与えてきた。処方オピオイドを乱用している人は、他の全ての違法薬物の使用者よりも多い。２００６年以降、オピオイドの投与を行う医師の数が著しく増加した（３２００万人／年）。また、現在ではヘロインの末端価格をはるかに上回る高力価のオピオイド（例えば、ヒドロコドン、及びオキシコドン）の処方へと劇的な転換が起きている。オピオイドの乱用が蔓延しているので、オピオイドの臨床検査がオピオイド慢性使用者の臨床治療に組み込まれているだけでなく、連邦政府及びその他の職場で実施される監視が義務付けられている。
【００５１】
オピエイトの尿中薬物検査（ＵＤＴＯ）は、一般的に使用される監視方法であるが、この方法には、重要な問題がある、この問題は、本明細書に開示の方法、システム、及びキット、例えばｉｓｏ−ＣＭＳベースのオピエイト分析方法（ｉＣＯＡＭ）によって解決することができる。尿は個人的に採取されるため、試料を希釈したり、クリーンな尿試料と置き換えたりする方法が多数存在する。ＵＤＴＯでは、オピエイト検出に使用される免疫学的検査を妨げる薬物を添加することによって尿試料を変化させることができる。そのような薬物としては、家庭用品（例えば、漂白剤、酢、洗剤など）、または市販薬（例えば、目薬、ＮａＣｌ、グルタルアルデヒド（「Ｃｌｅａｎ−Ｘ」）、硝酸カリウム（「Ｋｌｅａｒ」）など）が挙げられる。ｉＣＯＡＭを使用する場合、血液試料は、適切に本人確認された対象から指腹採血により直接的に採取され、認定された薬物により安定化緩衝液に入れられ、置換または改変の機会が排除されるので、上記の問題を軽減することができる。
【００５２】
乾燥血液スポット（ＤＢＳ）法の課題
【００５３】
図２Ａ及び図２Ｂに示すように、血漿試料中で測定された薬物（オンダンセトロン、以下、［ＯＮＤＳ］とも称する）の濃度は、ＤＢＳ法を用いて測定した濃度とは大幅に異なる。重要なことには、健常成人と乳児から生成した、血漿とＤＢＳとの測定値を比較する傾向線の傾きは全く異なっていた（図２Ａの０．７１、図２Ｂの１．４７）。新生児から得られたＤＢＳから測定された［ＯＮＤＳ］の濃度は、血漿から測定した場合より低かったが、この関係は成人では逆転していた。ＤＢＳから測定された［ＯＮＤＳ］の濃度を、血漿中で測定された［ＯＮＤＳ］の濃度に変換するための、成人と乳児との両方に有効な補正因子は見つからなかった。この相違は、オンダンセトロン濃度のＤＢＳ測定に制度的な問題があることを示す。
【００５４】
とりわけ、ろ紙上にスポットした血液量にばらつきがあった。ＤＢＳ測定を正確に行うためには、ろ紙上の指定された領域内に一定量の血液をスポットしなければならない。ＤＢＳが臨床現場で得られた場合、指定された領域内にスポットされた血液量には大きなばらつきがある。ろ紙上にスポットされた血液量にばらつきがある場合、ＤＢＳ法を用いて行った検査結果にばらつきが生じる。このばらつきは、標準曲線を使用して計算されるＤＢＳ薬物濃度測定値を大幅に変化させる。標準曲線を使用した計算は、ろ紙上の指定された円領域内の血液量が常に一定であると仮定し、検体の標準曲線から導出した一次方程式を使用して薬物または代謝物の量または量の変化を求める。
【００５５】
上記の血液量のばらつきは、新生児を分析する場合に特に問題となる。この場合、ろ紙上に少量の血液をスポットすることに対する系統的バイアスが存在する。対照的に、既知の血液量がＤＢＳに使用される場合、関連するばらつきは排除され、薬物または代謝物を正確に測定できる。
【００５６】
この現象の一例を実証するために、ＤＢＳ結果のばらつきの原理を調べるための一連の実験を行った。５０マイクロリットルの血液中に様々な濃度のオンダンセトロンを滴下し、検査室でろ紙上に注意深くスポットした。信頼できる標準曲線を、分析される［ＯＮＤＳ］の範囲にわたって生成した。これらの［ＯＮＤＳ］は、対象において測定したものと同様であった（図３Ａ及び図３Ｂ）。これらの結果は、ＤＢＳが検査室で注意深く調製されたならば、［ＯＮＤＳ］を正確に測定できることを示す。また、臨床試料結果のばらつきは、血液中には存在するが血漿中には存在しない赤血球内へのオンダンセトロンのパーテーショニングに起因する可能性もある。オンダンセトロン投与後の様々な時点でマウスから採取した、同時に調製した全血試料及び血漿試料中の［ＯＮＤＳ］を測定した。血漿測定値と全血測定値とは完全に一致していたので（図３Ａ及び図３Ｂ）、オンダンセトロンのパーテーショニングの差異は、結果のばらつきの原因ではなかった。ろ紙上にスポットされた血液量のばらつきに起因するばらつきを調べた。ＤＢＳ測定を正確に行うためには、ろ紙上の指定された領域内に一定の血液量をスポットしなければならない。血液が検査室で注意深くスポットされたとき、ＤＢＳは一定量の血液を有するはずである。しかしながら、臨床現場から得られたＤＢＳを調べたところ、ろ紙上の指定された領域内にスポットされた血液量に大幅なばらつきがあった（図４Ａ及び図４Ｂ）。多数の臨床試料を検査した結果、ろ紙上にスポットされた血液量に大幅なばらつきが確認された。
【００５７】
このばらつきは、臨床現場でろ紙上にスポットした新生児血液量のばらつきに起因する。この結果はまた、新生児を分析する場合、ろ紙上に少量の血液をスポットすることに対する系統的バイアスが存在することを示す。このことにより、新生児（図２Ａ及び図２Ｂ）における［ＯＮＤＳ］測定の傾向線の傾きが成人試料と比べて大幅に小さい理由が説明される。成人から血液を採取した場合、より多い量の血液がろ紙上にスポットされた。このばらつきは、ＤＢＳを用いて得られた薬物濃度測定の結果を大幅に変化させ得る。検査結果は、適切な量の血液がスポットされた場合、ＤＢＳ測定法により優れた結果が得られることを示す。しかし、臨床現場で新生児から血液を採取する場合には、このことを達成することは困難である。
【００５８】
少量の血液を採取する現在の方法は、血液中の薬物または代謝物の正確な分析及び測定には不十分である。いくつかの態様では、本開示の方法及びシステムは、検体の正確な検査のための少量の試料のサンプリングサイズのばらつきについての問題を解決する。
【００５９】
毛細管マイクロサンプリング（ＣＭＳ）法は薬物測定を改善することができる
【００６０】
げっ歯動物の血液中の様々な薬物の濃度を測定する研究により、ＣＭＳ法を用いて得られた結果は、非常に正確であり信頼できることが分かった。一般的なマウスは、体重が２０〜２５グラムであり、全血液量が１．５ｍＬ未満である。マウスの生存が優先され、かつＣＭＳ測定法で使用される血液量が１０μｌ未満の研究では、少量の血液しか必要としないサンプリング手順が必要である。ＣＭＳ法は、薬物動力学的研究及びトキシコキネティクス研究のための、げっ歯類における薬物濃度の連続的測定を可能にした。さらに、５０以上のマウスＣＭＳ研究では、希釈した試料を適切にボルテックスすると、後で分析するために、試料を凍結できることが分かった。これらのポジティブな結果を踏まえて、ＣＭＳ研究の結果は、規制当局によって日常的に受け入れられている。
【００６１】
この概念を実証するために、マウスモデルでＣＭＳ研究を行った。このマウスＣＭＳ研究では、商業的供給者から入手した８μＬガラスＥＤＴＡ被覆毛細管を使用する。ピンプリックによって８μｌのマウス血液を採取した後、７２μｌの抽出緩衝液（水中にアセトニトリルを２５％Ｖ／Ｖの割合で含有する）が予め添加されたスクリューキャップ式バイアル（１．１０ｍｌ、Ｖボトム）内に毛細管を入れる。キャップをしたバイアルを振とうし、毛細管中の血液が抽出緩衝液中に溶解するまで激しくボルテックスする（図５）。バイアルは、−８０°Ｃの冷凍庫内に保存する前に、濡れた氷の上に２０分間静置する。必要であれば、試料は、分析のための別の場所に送ってもよい。本研究により、ＣＭＳ（８μｌの採取された血液）がマウスの［ＯＮＤＳ］の連続的測定に使用することができ、かつ、ＣＭＳの結果が同時に採取されたマウス血漿（試料あたり１００μｌの採取された血液）での［ＯＮＤＳ］測定と完全に一致することが実証された（図６）。さらに、この結果は、［ＯＮＤＳ］のＣＭＳ測定が、少なくとも１０倍以上の血液を必要とするＤＢＳによる測定よりも大幅に信頼性が高いことを示す。したがって、ＣＭＳは、薬物または代謝物の正確な測定及び分析のための少量の血液を採取するのに適している。アセトニトリルを使用するＣＭＳ法は信頼できることが分かったが、本開示は、ＣＭＳ分析のための新規かつ改良された方法を提供する。
【００６２】
ＣＭＳ分析のための新規かつ改良された方法
【００６３】
いくつかの態様では、本開示は、検体を検出するための試料を調製する方法であって、毛細管マイクロサンプリング（ＣＭＳ）法を用いて採取した試料を、水及び定化溶媒を含有する生体適合性溶液に添加するステップを有し、安定化溶媒が、メタノール、エタノール、イソプロパノール、またはそれらの任意の組み合わせを含む、方法を提供する。
【００６４】
前節で述べたＣＭＳ実験の抽出緩衝液は、溶媒としてのアセトニトリルを２５％の割合で含有しているが、このことは、臨床現場において安全性に関する重大な問題を生じさせる。アセトニトリルは、肝臓でシトクロムＰ４５０分子によって代謝され、それにより、毒性分子であるシアン化水素及びホルムアルデヒドが生成される。シアン化物は体内に蓄積するため、通常は、暴露してから２〜１３時間後に毒性作用が現れる。この毒性作用は、わずか１００ｐｐｍのアセトニトリルを含有する空気を吸い込むことによって引き起こされる。とりわけ、アセトニトリルは、２０００年にＥＵによって化粧品での使用が禁止された。したがって、臨床従事者が、薬物、代謝物、及び他の成分の分析及び測定のために、試料、場合によっては多数の試料を、安全に採取及び処理することを可能にするためには、毒性の低い抽出緩衝液が必要である。
【００６５】
本開示は、アセトニトリルよりも毒性が低い溶媒を含有する生体適合性溶液（または「抽出緩衝液」）を提供する。いくつかの実施形態では、本開示の抽出緩衝液は、薬局またはドラッグストアなどの臨床現場で使用される。本開示の抽出緩衝液は、安全に使用することができると考えられる。本開示の抽出緩衝液は、アセトニトリルよりも毒性が低いので、臨床現場の医療従事者は、臨床現場で、対象から試料を採取し、採取した試料を抽出緩衝液中に抽出することができる。抽出緩衝液中の抽出試料は、分析のために現場で検査してもよい。
【００６６】
本明細書に記載の抽出緩衝液は、水と、プロトン性極性溶媒などの安定化溶媒とを含有する。いくつかの実施形態では、安定化溶媒は、イソプロパノール、メタノール、エタノール、またはそれらの任意の組み合わせである。一実施形態では、安定化溶媒は、イソプロパノールである。「消毒用アルコール」としても知られるイソプロパノールは、その非毒性特性を考慮して使用することができる。イソプロパノールを２５％の割合で含有する水溶液が、臨床現場で使用され得る。一実施形態では、抽出緩衝液は、水と安定化溶液とを７５／２５（Ｖ／Ｖ）の比で含有する。いくつかの実施形態では、抽出緩衝液は、水とイソプロパノールとを７５／２５（Ｖ／Ｖ）の比で含有し、これを、本明細書では、「ｉｓｏ−ＣＭＳ」と称する。いくつかの実施形態では、安定化溶媒は、非プロトン性極性溶媒ではない。
【００６７】
図１は、検体を検出する方法の例示的な実施例を示す。本明細書に記載の、検体を検出するための方法及びシステムは、一般的に、次のように行われる。まず、対象から試料を採取する（例えば、ステップ１０１）。試料は、診療所、薬局、クリニック、ドラッグストア、緊急医療センターなどの臨床現場で採取され得る。対象から試料を採取する採取者は、正確な方法で試料を採取することができる。採取者は、毛細管などの医療器具を使用して、少量の試料、例えば生物学的流体を対象から採取することができる（例えば、ステップ１０３）。いくつかの実施形態では、１〜５０μＬの試料、例えば約８μＬの試料が採取される。次いで、試料を有する毛細管を、抽出緩衝液とも称される生体適合性溶液を所定量で収容する容器内に入れる。生体適合性溶液は、水と、例えばイソプロパノールなどの本明細書に記載の安定化溶媒とを含有する。試料が生体適合性溶液内に移り、生体適合性溶液によって希釈されるように、試料を安定化溶媒と混合させる（例えば、ステップ１０５）。生体適合性溶液で希釈された試料が、希釈試料である。希釈試料は、次いで、質量分析などの本明細書に記載の１以上の技術を用いて処理または分析され（例えば、ステップ１０７）、それにより、溶液中の１以上の検体が検出及び／または測定される（例えば、ステップ１０９）。希釈試料は、臨床現場で検査してもよい。いくつかの実施形態では、試料は、生試料、すなわち未処理試料である。
【００６８】
いくつかの実施形態では、本開示は、検体を検出する方法であって、（ａ）試料及び生体適合性溶液を含有する検査溶液のアッセイの実施するステップと、（ｂ）試料中の検体の存在及び／または濃度を検出するステップと、を有し、生体適合性溶液が、安定化溶媒及び水を含有し、試料が、毛細管マイクロサンプリング（ＣＭＳ）法を用いて採取される方法を提供する。いくつかの実施形態では、ＣＭＳ法を用いて採取された試料の量は、約１〜５０μＬである。いくつかの実施形態では、安定化溶媒は、例えばイソプロパノールなどのプロトン性極性溶媒を含む。
【００６９】
いくつかの実施形態では、本開示は、検体を検出する方法であって、（ａ）試料及び生体適合性溶液を含有する検査溶液のアッセイの実施するステップと、（ｂ）試料中の検体の存在及び／または濃度を検出するステップと、を有し、生体適合性溶液が、安定化溶媒及び水を含有し、試料の量が、約１〜５０μＬである方法を提供する。
【００７０】
いくつかの実施形態では、本開示は、対象から採取した試料中の検体を連続的にモニタリングする方法であって、毛細管マイクロサンプリング（ＣＭＳ）法を用いて採取した試料を、生体適合性溶液に添加するステップを有し、生体適合性溶液が、水及び安定化溶媒を含有し、安定化溶媒が、メタノール、エタノール、イソプロパノール、またはそれらの任意の組み合わせを含み、１以上の試料が、指定された時間間隔で採取される方法を提供する。いくつかの実施形態では、本方法は、１以上の試料を比較するステップをさらに有する。試料は、同一の対象から採取したものであってもよいし、互いに異なる対象から採取したものであってもよい。試料は、標準試料または対照試料と比較してもよい。試料は、検体の存在または濃度の変化についてモニタリングされ得る。
【００７１】
いくつかの実施形態では、対象の血液中の薬物の量を経時的にモニタリングすることが望ましい。試料は、経時的にモニタリングされ得る。一般的に、経時的なモニタリングプロトコルは、本明細書に記載の方法を用いて、複数の時間間隔で、患者から複数の試料を採取することを含む。時間間隔は、規則的であってもよいし、不規則的であってもよい。試料は、１分毎、１時間毎、２時間毎、６時間毎、１２時間毎、２４時間毎、２日毎、毎週、毎月、毎年、またはこれらの間隔の１つに相当する間隔でモニタリングされ得る。
【００７２】
例えば、患者に薬物を経時的に投与し、血漿中の薬物濃度がその薬物の治療濃度域であるかどうかを判定するために、薬物の血漿中濃度をモニタリングする。血液試料は、本明細書に記載のＣＭＳ法を用いて毎日または他の間隔で採取され、これらの試料は、薬物の血漿中濃度を測定するために分析される。
【００７３】
いくつかの実施形態では、本開示は、疾患または障害を判定する方法であって、（ａ）試料及び生体適合性溶液を含有する検査溶液を分析するステップと、（ｂ）試料中の検体の存在及び／または濃度を検出するステップと、を有し、生体適合性溶液が、安定化溶媒及び水を含有し、試料が、毛細管マイクロサンプリング（ＣＭＳ）法を用いて採取される方法を提供する。いくつかの実施形態では、ＣＭＳ法を用いて採取される試料の量は、約１〜５０μＬである。いくつかの実施形態では、疾患または障害は、遺伝性疾患である。
【００７４】
生体適合性溶液
【００７５】
本明細書に開示の方法、システム、またはキットのいくつかの実施形態では、生体適合性溶液は、水及び安定化溶媒を含有する。安定化溶媒は、アセトニトリルよりも毒性の低い溶媒であり得る。いくつかの実施形態では、安定化溶媒は、１以上のプロトン性極性溶媒である。安定化溶媒は、任意選択で置換されたアルキルアルコールであり得る。安定化溶媒は、メタノール、エタノール、イソプロパノール、またはそれらの任意の組み合わせを含み得る。いくつかの実施形態では、安定化溶媒は、イソプロパノールを含む。いくつかの実施形態では、安定化溶媒は、実質的にイソプロパノールからなる。安定化溶媒は、安全に使用できると考えられており、臨床現場に適している。いくつかの実施形態では、生体適合性溶液は、毛細管から血液などの試料を溶液中に抽出するために使用される。いくつかの実施形態では、安定化溶媒は、非プロトン性極性溶媒ではない。
【００７６】
いくつかの実施形態では、生体適合性溶液は、例えばイソプロパノールなどの安定化溶媒を１０〜８０％Ｖ／Ｖの割合で含有する。例えば、生体適合性溶液は、安定化溶媒を、約１０％、１５％、２０％、２５％、３０％、３５％、４０％、４５％、５０％、５５％、６０％、６５％、７０％、７５％、または８０％Ｖ／Ｖの割合で含有し得る。生体適合性溶液は、安定化溶媒を、１０〜７５％、１５〜５０％、１５〜４０％、または２０〜３０％Ｖ／Ｖの割合で含有し得る。いくつかの実施形態では、生体適合性溶液は、安定化溶媒を５０〜８０％Ｖ／Ｖの割合で含有する。例えば、生体適合性溶液は、イソプロパノールを７５％Ｖ／Ｖの割合で含有する。いくつかの実施形態では、生体適合性溶液は、安定化溶媒を２０〜３０％Ｖ／Ｖの割合で含有する。いくつかの実施形態では、生体適合性溶液は、安定化溶媒を約２５％Ｖ／Ｖの割合で含有する。例えば、生体適合性溶液は、イソプロパノールを２５％Ｖ／Ｖの割合で含有する。
【００７７】
いくつかの実施形態では、検査溶液は、約５０〜１０００μＬの生体適合性溶液中、例えば、５０、７５、１００、１５０、２００、２５０、３００、３５０、４００、４５０、５００、５５０、６００、６５０、７００、７５０、８００、９００、または１０００μＬの生体適合性溶液中に、少量の試料を含有する。検査溶液は、約５０〜１００μＬ、１００〜２００μＬ、２００〜３００μＬ、３００〜４００μＬ、または４００〜５００μＬの生体適合性溶液を含有し得る。いくつかの実施形態では、検査溶液は、約５０〜１００μＬの生体適合性溶液中、例えば約７２μＬの生体適合性溶液中に、少量の試料を含有する。
【００７８】
いくつかの実施形態では、生体適合性溶液は、１０〜５００μＬの安定化溶媒、例えばイソプロパノールなどを含有する。例えば、生体適合性溶液は、約１０、２０、３０、４０、５０、６０、７０、８０、または９０μＬの安定化溶媒を含有し得る。生体適合性溶液は、約１００、１１０、１２０、１３０、１４０、１５０、１６０、１７０、１８０、または１９０μＬの安定化溶媒を含有し得る。生体適合性溶液は、約２００、２１０、２２０、２３０、２４０、２５０、２６０、２７０、２８０、または２９０μＬの安定化溶媒を含有し得る。生体適合性溶液は、約３００、３１０、３２０、３３０、３４０、３５０、３６０、３７０、３８０、または３９０μＬの安定化溶媒を含有し得る。生体適合性溶液は、約４００、４１０、４２０、４３０、４４０、４５０、４６０、４７０、４８０、４９０、または５００μＬの安定化溶媒を含有し得る。いくつかの実施形態では、生体適合性溶液は、１０〜１００μＬ、１０〜７５μＬ、１０〜５０μＬ、５０〜１５０μＬ、５０〜１２５μＬ、５０〜１００μＬ、または５０〜９０μＬの安定化溶媒を含有する。
【００７９】
いくつかの実施形態では、生体適合性溶液は、毒性溶媒を実質的に含有しない。生体適合性溶液は、毒性溶媒を含有しない。いくつかの実施形態では、生体適合性溶液は、毒性溶媒を、２５％未満、例えば、１％、２％、３％、４％、５％、６％、７％、８％、９％、１０％、１１％、１２％、１３％、１４％、１５％、１７％、１８％、１９％、２０％、２１％、２２％、２３％、２４％、または２５％未満の割合で含有する。いくつかの実施形態では、生体適合性溶液は、毒性溶媒を５％未満の割合で含有する。いくつかの実施形態では、生体適合性溶液は、毒性溶媒を１％未満の割合で含有する。
【００８０】
いくつかの実施形態では、生体適合性溶液は、アセトニトリルを実質的に含有しない。生体適合性溶液は、アセトニトリルを含有しない。いくつかの実施形態では、生体適合性溶液は、アセトニトリルを、２５％未満、例えば１％、２％、３％、４％、５％、６％、７％、８％、９％、１０％、１１％、１２％、１３％、１４％、１５％、１７％、１８％、１９％、２０％、２１％、２２％、２３％、２４％、または２５％未満の割合で含有する。いくつかの実施形態では、生体適合性溶液は、アセトニトリルを５％未満の割合で含有する。いくつかの実施形態では、生体適合性溶液は、アセトニトリルを１％未満の割合で含有する。
【００８１】
検体の測定
【００８２】
本明細書に記載の方法またはシステムは、試料中の１以上の検体を測定するために使用され得る。検体は、本明細書に記載の方法の実施前、実施中、または実施後に、誘導体化、保存、精製、または他の追加的な処理が施され得る。加えて、検体の測定は、試料の採取の直後に行ってもよいし、または、試料の保存、希釈、誘導体化、検証、または他の処理の後に行ってもよい。いくつかの実施形態では、試料は、生試料、すなわち未処理試料である。本明細書に開示の方法またはシステムのいくつかの実施形態では、検体は、薬物、代謝物、または栄養素である。いくつかの実施形態では、抗癌剤、抗てんかん剤、オピエイト、鎮痛剤、ホルモン治療薬、例えば、ステロイド、ビタミンＡ、ビタミンＤなどが、疾患または障害を診断するために検査される。
【００８３】
薬物：本明細書に開示の方法またはシステムのいくつかの実施形態では、検体は、薬物である。薬物は、抗癌剤、オピオイド、または薬学的に活性な薬物であり得る。いくつかの実施形態では、検体は、デキサメタゾンである。これらの薬物には、プロドラッグ及び薬物代謝物が含まれる。いくつかの実施形態では、薬物は、複数の薬物を組み合わせたものである。
【００８４】
抗癌剤：本開示の方法によって検出することができるいくつかの薬物は、癌の治療に使用される薬物（本明細書では抗癌剤と称する）である。癌は、異常な細胞増殖を伴う疾患群であり、身体の他の部位に浸潤または転移する可能性がある。抗癌剤は、化学療法薬、標的治療薬、またはホルモン治療薬であり得る。
【００８５】
化学療法薬には、アルキル化剤、代謝拮抗剤、抗微小管薬、トポイソメラーゼ阻害剤、及び細胞毒性抗生物質が含まれる。標的治療薬には、ホルモン治療薬、シグナル伝達阻害剤、遺伝子発現調節剤、アポトーシス誘導剤、血管新生阻害剤、免疫療法剤、及び毒素送達分子が含まれる。ホルモン治療薬には、ホルモンに干渉してホルモン感受性腫瘍の増殖を停止または遅延させる薬物が含まれる。
【００８６】
本明細書に記載の方法によって検出することができる化学療法薬の例としては、これに限定しないが、例えば、シクロホスファミド、メトトレキサート、５−フルオロウラシル、ドキソルビシン、ドセタキセル、ブレオマイシン、ビンブラスチン、ダカルバジン、ムスチン、ビンクリスチン、プロカルバジン、プレドニゾロン、エトポシド、シスプラチン、エピルビシン、カペシタビン、フォリン酸、及びオキサリプラチンが挙げられる。
【００８７】
オピエイト：本明細書に開示の方法のいくつかの実施形態では、薬物は、オピエイトであり得る。Ｉｓｏ−ＣＭＳに基づくオピエイト分析法（ｉＣＯＡＭ）が、いくつかの関心のあるオピエイトに対して提示されている。そのようなオピエイトとしては、これに限定しないが、例えば、ヘロイン、モルヒネ、コデイン、オキシコドン及びその代謝物（ノルオキシコドン、オキシモルホン）、ヒドロコドン及びその代謝物（ヒドロモルホン）、メサドン、ブプレノルフィン、フェンタニル、ヒドロモルホン、及びジアムルヒネが挙げられる。
【００８８】
他の薬物：本願明細書に記載の方法を使用して測定することができる他の薬物としては、例えば、抗不安薬、抗生物質、抗凝固薬、抗痙攣薬、抗うつ薬、抗ヒスタミン薬、抗高血圧薬、降圧薬、抗片頭痛薬、抗精神病薬、抗ウイルス薬、βアドレナリン遮断薬、ベンゾジアゼピン、気管支拡張薬、カルシウムチャンネル遮断薬、コルチコステロイド、利尿薬、麻酔薬、神経筋遮断薬、またはプロトンポンプ阻害薬が挙げられる。測定される薬物は、アゴニスト、インバースアゴニスト、またはアンタゴニストであり得る。
【００８９】
本明細書に記載の方法によって測定することができる他の薬物のいくつかの例としては、これに限定しないが、ワルファリン、ボセンタン、クレマゾール、ガパベンチン、及びフロセミドが挙げられる。本明細書に記載の方法によって測定することができる薬物の代謝物としては、これに限定しないが、ＳＮ−３８、オキシモルホン、及びノルオキシコドンが挙げられる。
【００９０】
代謝物：本明細書に開示の方法またはシステムのいくつかの実施形態では、検体は、代謝物である。本明細書に記載の代謝物は、分子の同化作用及び異化作用を含む代謝中に形成される物質である。代謝物は、代謝の中間産物または最終産物であり得る。代謝物は、薬物、栄養素、または他の分子の代謝作用によって形成され得る。
【００９１】
生物学的流体中に存在する代謝物は、本明細書に記載の方法を用いて測定することができる。生物学的流体は、標準的な分析方法を用いて測定することができる。標準的な分析方法としては、これに限定しないが、質量分析法、分光分析法、クロマトグラフィ法、電気泳動法、及びＥＬＩＳＡが挙げられる。
【００９２】
場合によっては、薬物または栄養素のそれ自体ではなく、薬物または栄養素の代謝物を測定することが望ましい。いくつかの場合では、代謝物を測定することが望ましいが、代謝物は毒性を有するので、有害作用を回避するために、代謝物の濃度をモニタリングする必要がある。
【００９３】
代謝物はいくつかの追加的な利益を提供するので、いくつかの場合では、代謝物を測定することが望ましく、その利益が得られることを確実にするためには、代謝物の濃度をモニタリングする必要がある。薬物は非常に短い半減期を有し、代謝物はより長い半減期を有するので、代謝物の濃度は、対象の状態をより正確に示すことができる。そのため、いくつかの場合では、代謝物を測定することが望ましい。代謝物は、薬物または栄養素よりも安定的であるので、いくつかの場合では、代謝物を測定することが望ましく、代謝物を使用した場合は、本開示の方法をより容易またはより正確に実施することができる。代謝物は研究目的のための追加的な情報を提供し得るので、いくつかの場合では、代謝物を測定することが望ましい。
【００９４】
栄養素：本明細書に開示の方法またはシステムのいくつかの実施形態では、検体は、栄養素である。検体が栄養素である場合、それは、微量栄養素または多量栄養素であり得る。栄養素が多量栄養素である場合、それは、タンパク質、アミノ酸、炭水化物、ステロール、または脂質であり得る。栄養素が微量栄養素である場合、それは、ビタミンまたは鉱物であり得る。
【００９５】
タンパク質及びアミノ酸：いくつかの実施形態では、栄養素は、タンパク質またはアミノ酸である。アミノ酸は、アミノ及びカルボキシル官能基と、側鎖とを有する有機化合物である。タンパク質は、アミノ酸の集合鎖である。
【００９６】
本明細書に記載の方法によって測定されるアミノ酸は、脂肪族、芳香族、酸性、塩基性、ヒドロキシリル、硫黄含有、アミド、非必須、または必須のアミノ酸であり得る。
【００９７】
栄養素がアミノ酸である場合、それは、フェニルアラニン、ロイシン、イソロイシン、アロイソロイシン、アラニン、グリシン、プロリン、バリン、トリプトファン、チロシン、アスパラギン酸、グルタミン酸、アルギニン、ヒスチジン、リジン、セリン、トレオニン、システイン、メチオニン、アスパラギン、またはグルタミンであり得る。
【００９８】
アミノ酸は遺伝性疾患のマーカーであるので、いくつかの実施形態では、アミノ酸は、診断ツールとして使用するために測定される。例えば、フェニルアラニンは、フェニルケトン尿症（ＰＫＵ）のマーカーであるので、本明細書に記載の方法を用いてフェニルアラニンを測定することにより、ＰＫＵを診断することができる。加えて、ロイシン、イソロイシン、及びアロイソロイシンは、メープルシロップ尿症（ＭＳＵＤ）のマーカーであるので、それらを本明細書に記載の方法を用いて測定することにより、ＭＳＵＤを診断することができる。これらの実施形態に関する詳細は、実施例の欄に記載されている。
【００９９】
炭水化物：いくつかの実施形態では、本明細書に開示の方法またはシステムは、炭水化物を測定するために使用され得る。
【０１００】
炭水化物及びその代謝物は、健康に不可欠である。したがって、炭水化物の検査及びモニタリングは、公衆衛生のために重要である。Ｉｓｏ−ＣＭＳ及び本明細書に記載の方法は、少量の試料中の炭水化物を検出することができる。
【０１０１】
ステロール類：本明細書に開示の方法のいくつかの実施形態では、検体は、ステロールである。いくつかの実施形態では、本明細書に開示の方法またはシステムは、試料中のステロールまたはコレステロールを測定するために使用される。コレステロールは、ホルモン、ビタミンＤ、及び、消化を助ける物質を産生するために、身体に必要とされる。食事供給源に加えて、体内でコレステロールが産生される。過剰量のコレステロールは、心臓病または他の疾患を引き起こす恐れがあるため、コレステロール分子の濃度をモニタリングすることが不可欠である。
【０１０２】
他の実施形態では、本明細書に開示の方法またはシステムは、植物ステロール及びスタノールを含む他のステロール類を測定するために使用される。植物ステロール及びスタノールは、身体に摂取されると、循環コレステロール値を低下させるため、心疾患リスクを低下させることができる。
【０１０３】
脂質：本明細書に開示の方法のいくつかの実施形態では、検体は、脂質である。脂質は、脂肪酸及びその誘導体であり、それらには、トリグリセリド、ジグリセリド、モノグリセリド、及びリン脂質、並びに、他のステロール含有代謝物が含まれる。これらの分子は一般的に、水に対して不溶性であるが、本明細書に記載の方法に用いられる溶媒を含む他の溶媒に対しては可溶性である。脂質は、脂肪酸、グリセロ脂質、グリセロリン脂質、スフィンゴ脂質、ステロール脂質、プレノール脂質、サッカロ脂質、またはポリケチドであり得る。
【０１０４】
食事脂肪摂取と体脂肪状態のモニタリングの重要性を考えると、対象の脂質を測定しモニタリングすることは重要である。本明細書に記載の方法は、少量の試料を使用して脂質を測定するのに用いることができる。
【０１０５】
ビタミン：ビタミンは、ビタミン、プロビタミン、またはそれらの前駆体であり得る。例えば、ビタミンは、ビタミンＡ、ビタミンＢ、ビタミンＣ、ビタミンＤ、またはビタミンＥであり得る。本開示の方法のいくつかの実施形態では、検体は、ビタミンＤである。これらのビタミンは健康に不可欠であるため、欠乏及び過剰、並びにこれらの状態に関連する疾患を予防するための検査及びモニタリングは、公衆衛生のために重要である。
【０１０６】
ビタミンＢ：ビタミンＢ群及びその代謝物の測定は、質量分析法、クロマトグラフィ法、及び他の方法などの現在利用可能ないくつかの測定法を用いて行うことができる。本開示の方法は、生物学的流体の少量の試料からビタミンＢ類を測定するのに有用である。
【０１０７】
ビタミンＣ：ビタミンＣは、抗炎症作用及び免疫支援作用を有する重要な循環抗酸化剤であり、重要なモノキシゲナーゼ酵素またはジオキシゲナーゼ酵素の補因子である。外傷、虚血／再灌流、及び敗血症モデルにおける多数の前臨床研究は、薬理学的用量で投与されたビタミンＣは、酸化ストレス及び炎症を減弱させ、内皮機能または臓器機能を回復させることを示している。古い研究は、ビタミンＣを補充量で投与すると（１日あたり２〜３ｇのビタミンＣの静脈内投与）、臓器機能障害がより少なくなることを示している。薬理学的用量（６〜１６ｇ／日）を用いた最近の小規模な対照研究は、ビタミンＣが昇圧薬サポート及び臓器機能障害を減少させ、さらには、死亡率も低下させることを示唆している。
【０１０８】
ビタミンＣの濃度の検査及びモニタリングは、公衆衛生のために重要である。このような検査及びモニタリングは、本明細書に記載の方法を用いて、少量の試料を使用して実施することができる。
【０１０９】
ビタミンＤ：本明細書に記載の方法、例えばｉｓｏ−ＣＭＳ法を用いて、血液中の栄養素の量を測定することができる。栄養素は、多量栄養素、または、ビタミン若しくは鉱物などの微量栄養素であり得る。一例として、ｉｓｏ−ＣＭＳ法を用いて採取した試料を使用して、ビタミンＤを測定することができる。いくつかの実施形態では、試料は、骨の健康を評価するために検査される。
【０１１０】
ビタミンＤは、カルシウム及び骨の代謝、妊娠中の母体の健康、及び子供の発育において重要な役割を果たすことが知られている。最近、ビタミンＤは、糖尿病、心血管疾患、関節炎、多発性硬化症、及び癌を含む様々な他の医学的状態に関与することが分かった。
【０１１１】
低存在量及び低いイオン化ポテンシャルを有することにより、化学誘導体化ストラテジーは、ビタミンＤ代謝物にイオン化可能基を導入することにより、検出感度を高めるために使用される。ディールス・アルダー誘導体化反応法が、ジエノフィル試薬をビタミンＤのｃｉｓ−ジエン基と反応させるのに用いられる。しかしながら、第二世代誘導体化法が近年開発され、現在では、様々なビタミンＤ代謝物の分析が可能になった。これらの方法は、ｉｓｏ−ＣＭＳ法の場合のように試料が少量であっても、アッセイを実施することを可能にする。
【０１１２】
ビタミンＥ：ビタミンＥは、トコフェロールのα型、β型、δ型、及びγ型、並びに、トコトリエノールの化学的分類を説明する一般的な用語である。
【０１１３】
ビタミンＥの濃度の検査及びモニタリングは、公衆衛生のために重要である。このような検査及びモニタリングは、本明細書に記載の方法を用いて、少量の試料を使用して行うことができる。
【０１１４】
鉱物：いくつかの実施形態では、本明細書に記載の方法は、対象から採取した試料中の鉱物の量を測定するために使用され得る。鉱物は、対象の食事の一部として摂取される。鉱物は、生物に必要とされる化学元素である。食事由来の各鉱物の適切な摂取濃度は、身体の健康を保つために維持する必要がある。
【０１１５】
本明細書に記載の方法によって測定することができる鉱物としては、これに限定しないが、カルシウム、リン、カリウム、硫黄、塩化ナトリウム、マグネシウム、鉄、亜鉛、銅、マンガン、ヨウ素、セレン、モリブデン、クロム、及びフッ化物が挙げられる。いずれの場合も、鉱物の過不足は対象の健康に悪影響を及ぼすので、所定量の鉱物が、健康に不可欠である。
【０１１６】
遺伝性疾患の診断
【０１１７】
いくつかの実施形態では、本開示は、疾患または障害を判定する方法であって、（ａ）試料及び生体適合性溶液を含有する検査溶液のアッセイを実施するステップと、（ｂ）試料中の検体の存在及び／または濃度を検出するステップと、を有し、生体適合性溶液が、安定化溶媒及び水を含有し、試料の量が、約１〜５０μＬである、方法を提供する。いくつかの実施形態では、疾患または障害は、遺伝性疾患である。
【０１１８】
５００以上の疾患が、タンパク質／酵素の産生障害を引き起こす遺伝子変異に関連しており、これらの疾患は先天性代謝異常症（ＩＥＭ）と呼ばれている。これらの疾患のうちの９１例は、早期に診断されれば治療可能である。さらに、治療可能なＩＥＭのうちの１３例は、アミノ酸産生またはアミノ酸異化作用に影響を及ぼす障害（アミノ酸代謝異常症）である：フェニルケトン尿症（ＰＫＵ）、メープルシロップ尿症（ＭＳＵＤ）、ホモシスチン尿症／メチレンテトラヒドロ葉酸レダクターゼ（ＭＴＨＦＲ）欠損症、チロシン血症ＩＩ型、シトルリン血症Ｉ型及びＩＩ型、アルギニノコハク酸尿症、カルバモイルリン酸シンテターゼＩ（ＣＰＳ）欠損症、アルギニン血症（アルギナーゼ欠損症）、高オルニチン血症−高アンモニア血症−ホモシトルリン尿症（ＨＨＨ）症候群、Ｎ−アセチルグルタミン酸シンターゼ（ＮＡＧＳ）欠損症、オルニチントランスカルバミラーゼ（ＯＴＣ）欠損症、及びピルビン酸デヒドロゲナーゼ（ＰＤＨ）複合体欠損症。もし、効果的な新生児スクリーニングプログラムが実施されれば、これらのＩＥＭによって引き起こされる経済的負担及び心理的負担が軽減される。もし、診断が早期に行われれば、疾患により引き起こされるダメージを防ぐために、食事療法などを導入することができる。
【０１１９】
試料
【０１２０】
Ｉｓｏ−ＣＭＳ法を含む本明細書に記載の方法またはシステムはまた、血液及び他の生物学的流体などの試料の測定に有用である。いくつかの実施形態では、試料は、診断検査に使用される生物学的流体である。Ｉｓｏ−ＣＭＳ法は、血液、涙、汗、脳脊髄液（ＣＳＦ）、及び他の体液を非侵襲的に採取して分析することを可能にする。
【０１２１】
いくつかの実施形態では、試料は、血液、血清、血漿、鼻腔スワブまたは鼻咽頭洗浄液、唾液、尿、涙、胃液、髄液、糞便、粘液、汗、耳垢、油、腺分泌物、脳脊髄液、組織、精液、膣液、咽頭スワブ、呼気、毛髪、指爪、皮膚、生検、胎盤液、羊水、臍帯血、エンファティク流体（emphatic fluid）、腔液、痰、粘液、膿、微生物、胎便、母乳、及び／または他の排出物からなる群より選択される。いくつかの実施形態では、生物学的流体は、血液、尿、涙、唾液、汗、精子、または脳脊髄液である。いくつかの実施形態では、試料は、血液である。いくつかの実施形態では、試料は、新生児血液である。
【０１２２】
いくつかの実施形態では、少量の試料、例えば血液などが、対象から採取される。いくつかの実施形態では、対象から採取される試料の量は、約または少なくとも２μＬ、３μＬ、４μＬ、５μＬ、６μＬ、７μＬ、８μＬ、９μＬ、１０μＬ、１５μＬ、２０μＬ、２５μＬ、３０μＬ、４０μＬ、５０μＬ、６０μＬ、７０μＬ、８０μＬ、９０μＬ、１００μＬ、５００μＬ、１ｍＬ、２ｍＬ、３ｍＬ、４ｍＬ、５ｍＬ、６ｍＬ、７ｍＬ、８ｍＬ、９ｍＬ、または１０ｍＬである。いくつかの実施形態では、約２〜１００μＬの試料が、対象から採取され、検査に使用される。例えば、２、３、４、５、６、７、８、９、１０、１５、２０、２５、３０、４０、５０、６０、７０、８０、９０、または１００μＬの試料が、対象から採取され、検査に使用される。いくつかの実施形態では、約２〜２５μＬ、４〜１５μＬ、または４〜１０μＬの量の試料が、対象から採取され、検査に使用される。いくつかの実施形態では、約８μＬの試料が対象から採取され、検査に使用される。いくつかの実施形態では、対象から採取された所定量の試料は、分析前に生体適合性溶液によって希釈される。
【０１２３】
いくつかの実施形態では、試料は、生体適合性溶液によって希釈される。いくつかの実施形態では、試料は、生体適合性溶液によって、約３〜２０倍、例えば、３、４、５、６、７、８、９、１０、１１、１２、１３、１４、１５、１６、１７、１８、１９、または２０倍に希釈される。試料は、生体適合性溶液によって約５〜１５倍に希釈され得る。いくつかの実施形態では、試料は、生体適合性溶液によって約１０倍に希釈される。
【０１２４】
本明細書に記載の方法のいくつかの実施形態では、本開示の方法は、試料を冷却するステップをさらに有する。試料は、後で使用できるように試料を保存するために冷却される。例えば、試料は、氷の上、冷水中、または、冷蔵庫や冷凍庫などの温度制御ユニット内に保存され得る。試料を冷却するステップは、試料を約−１７．８℃（約０°Ｆ）未満の温度に維持するステップを有し得る。いくつかの実施形態では、試料は、アッセイを実施する前に冷却される。試料は、アッセイを実施する前に、予め凍結及び解凍され得る。本明細書に記載の方法のいくつかの実施形態では、本開示の方法は、抗凝固剤または保存剤を添加するステップをさらに有する。
【０１２５】
本明細書に記載の方法を実施するときは、試料を採取した場所から試料を検査可能な施設まで試料を輸送するかまたは試料を輸送することなく、試料の定性的及び／または定量的な評価を、単独でまたは組み合わせて行うことができる。いくつかの実施形態では、施設は、薬局またはドラッグストアなどの臨床現場である。
【０１２６】
アッセイ
【０１２７】
本明細書に記載の方法またはシステムは、診断検査に用いることができる標準的なアッセイ（分析方法）の１または複数と組み合わせることができる。そのようなアッセイとして、これに限定しないが、質量分析法、分光法、クロマトグラフィ法、電気泳動法、または酵素結合免疫吸着検査法（ＥＬＩＳＡ）が挙げられる。
【０１２８】
質量分析法は、化学種を分析する分析技術であり、検体から発生したイオンを質量電荷比に基づいて分離させる。質量分析法は、純粋な試料、並びに、本明細書に記載されている生物学的流体などの複合試料の分析に適用することができる。
【０１２９】
分光法は、電磁放射と試料との相互作用に基づく試料の分析方法である。試料の分光分析に使用される装置としては、分光計、分光光度計、分光器、及びスペクトル分析器などが挙げられる。
【０１３０】
クロマトグラフィ法は、混合物を溶液中に通過させるか、あるいは、混合物の各成分が互いに異なる速度で移動する媒体中に混合物を蒸気として通過させることによって、混合物を分離させる方法である。このようにして、試料の成分を分離することができる。その結果、成分を識別して定量化することが可能となる。
【０１３１】
クロマトグラフィ法は、試料の分析のために、質量分析法または分光法と組み合わせてもよい。このような組み合わせの例としては、ＬＣＭＳ（液体クロマトグラフィ法／質量分析法）、及びＧＣＭＳ（ガスクロマトグラフィ法／質量分析法）が挙げられる。
【０１３２】
いくつかの実施形態では、本開示は、アッセイを実施する方法であって、試料及び生体適合性溶液を含有する検査溶液のアッセイを実施するステップを有し、試料の量が１〜５０μＬの量であり、アッセイのエラー比が２０％以下である方法を提供する。いくつかの実施形態では、本開示は、アッセイを実施する方法であって、試料及び生体適合性溶液を含有する検査溶液のアッセイを実施するステップを有し、試料が、ＣＭＳ法を用いて採取され、アッセイのエラー比が２０％未満である方法を提供する。
【０１３３】
本明細書で使用するとき、エラー比（ＥＲ）は、ゴールドスタンダード方法を用いて採取した血漿から測定された検体の量に対する、本明細書に記載の方法により測定された検体の量の偏差の正規化バージョンであり、下記のようにして計算される。
【０１３４】
【数１】
2021503609.tif 000003
【０１３５】
上記の式中、ＡＣＭＳは、本明細書に記載のＣＭＳ法を用いて採取した試料から測定された検体の量であり、ＡＰｌａｓｍａは、ゴールドスタンダード方法を用いて同時に採取した試料から測定された検体の量である。ゴールドスタンダード方法は、静脈穿刺によって血漿を採取する方法であり得る。ＥＲが０である場合、その方法で得られる結果が、ゴールドスタンダード方法で得られる結果と完全に一致していることを意味する。低いＥＲ（０に近いＥＲ）は、その方法で得られる結果がゴールドスタンダード方法で得られる結果と同様であることを示し、高いＥＲは、その方法で得られる結果がゴールドスタンダード方法で得られる結果とは異なることを示す。ＥＲの範囲は、０〜１００％であり得る。
【０１３６】
対象
【０１３７】
本明細書に記載の方法またはシステムのいずれにおいても、対象（subject）はヒトまたは動物である。対象は、幼児、小児、青年、成人、または高齢者であり得る。対象は、遺伝性疾患、慢性疼痛、癌、感染性疾患、心血管疾患、栄養素欠乏、代謝性疾患、薬物依存症、または他の疾患を有するか、またはそれらの疾患のリスクを有している可能性がある。対象は、妊娠しているヒトまたは動物、例えば妊娠している女性であり得る。いくつかの実施形態では、対象は、新生児である。いくつかの実施形態では、対象は、栄養欠乏を有する。
【０１３８】
本明細書に記載の方法のいくつかの実施形態では、対象は、ヒトである。例えば、ヒト対象は、成人、小児、または幼児であり得る。例示的な実施形態では、ヒト対象は、ヒト成人である。ヒト対象は、１８歳以上のヒト成人であり得る。ヒト対象は、１８歳〜９０歳のヒト成人であり得る。いくつかの実施形態では、ヒト対象は、４０歳〜８５歳のヒト成人である。例示的な実施形態では、ヒト対象は、６５歳〜８０歳のヒト成人である。
【０１３９】
本明細書に記載の方法のいくつかの実施形態では、対象は、動物である。動物対象は、イヌまたはネコなどの飼い慣らされた動物であり得る。動物対象は、マウスまたはラットであり得る。動物対象は、７週齢以上のマウスまたはラットであり得る。動物対象は、７週齢〜１５週齢のマウスまたはラットであり得る。動物対象は、１０週齢〜１１週齢のマウスまたはラットであり得る。
【０１４０】
遺伝子検査患者：対象が遺伝性疾患を有するか、または遺伝性疾患のリスクを有する場合、本明細書に記載の方法を用いて、その遺伝性疾患のマーカーの存在について試料を分析することができる。２つの注目すべき実施形態では、対象は、ＰＫＵまたはＭＳＵＤのリスクを有している。対象がＰＫＵのリスクを有している場合、本明細書に記載の方法を用いて、ＰＫＵのマーカーであるフェニルアラニンの濃度を測定することができる。
【０１４１】
対象がＭＳＵＤリスクを有している場合、本明細書に記載の方法を用いて、ＭＳＵＤのマーカーであるロイシン、イソロイシン、またはアロイソロイシンを含む分岐鎖アミノ酸の濃度を分析することができる。
【０１４２】
対象が幼児である場合、対象は遺伝性疾患のリスクを有し得るので、本明細書に記載の方法を用いて、ＰＫＵ、ＭＳＵＤ、または本明細書に記載の他の遺伝性疾患について対象を検査することができる。
【０１４３】
慢性の痛み：対象が慢性疼痛患者である場合、患者は、１以上のオピオイドまたは他の鎮痛薬が処方される。この実施形態では、治療の安全性及び依存リスクをモニタリングするために、患者の試料を、処方されたまたは処方されていないオピオイドまたは他の鎮痛薬の存在について分析する。
【０１４４】
栄養素欠乏症：対象が栄養素欠乏症を有するか、または栄養素欠乏症のリスクを有する場合、本明細書に記載の方法を用いて、その栄養素の欠乏について試料を分析することができる。この場合、栄養素は、多量栄養素または微量栄養素であり得る。栄養素が多量栄養素である場合、それは、タンパク質、アミノ酸、炭水化物、または脂質であり得る。栄養素が微量栄養素である場合、それは、ビタミンまたは鉱物であり得る。栄養素がビタミンである場合、それは、ビタミンＡ、ビタミンＢ、ビタミンＣ、ビタミンＤ、ビタミンＥ、ビタミンＫ、または、それらのビタミンの前駆体または代謝物であり得る。栄養素が鉱物である場合、それは、カルシウム、リン、カリウム、硫黄、塩化ナトリウム、マグネシウム、鉄、亜鉛、銅、マンガン、ヨウ素、セレン、モリブデン、クロム、またはフッ化物であり得る。
【０１４５】
感染症：対象が感染症を有するか、または感染症のリスクを有する場合、本明細書に記載の方法を用いて、感染症のマーカー、または、感染症の治療のために対象に投与される抗生物質、抗ウイルス薬、抗真菌薬、もしくは抗寄生虫薬について、試料を分析することができる。
【０１４６】
心血管疾患：対象が心血管疾患を有するか、または心血管疾患のリスクを有する場合、本明細書に記載の方法を用いて、コレステロールについて試料を分析することができる。また、この実施形態では、本明細書に記載の方法を用いて、心血管疾患の治療に使用される薬物について試料を分析することができる。心血管疾患の治療に使用される薬物としては、これに限定しないが、スタチン、変力薬、変時薬、または心血管疾患を治療できる他の薬物が挙げられる。
【０１４７】
癌患者：本開示の方法が用いられる対象としては、下記の疾患を有すると診断された対象が挙げられる。急性骨髄性白血病、急性骨髄性白血病、青年期の癌、小児副腎皮質癌、ＡＩＤＳ関連癌（例えば、リンパ腫及びカポジ肉腫）、肛門癌、虫垂癌、星状細胞腫、非定型奇形腫様、基底細胞癌、胆管癌、膀胱癌、骨癌、脳幹グリオーマ、脳腫瘍、乳癌、気管支腫瘍、バーキットリンパ腫、カルチノイド腫瘍、非定型奇形腫様、胎児性腫瘍、胚細胞腫瘍、原発性リンパ腫、子宮頸癌、小児癌、脊索腫、心臓腫瘍、慢性リンパ性白血病（ＣＬＬ）、慢性骨髄性白血病（ＣＭＬ）、慢性骨髄増殖性障害、結腸癌、大腸癌、頭蓋咽頭腫、皮膚Ｔ細胞リンパ腫、肝外非浸潤性乳管癌（ＤＣＩＳ）、胎児性腫瘍、ＣＮＳ癌、子宮内膜癌、上衣腫、食道癌、鼻腔神経芽細胞腫、ユーイング肉腫、頭蓋外胚細胞腫瘍、性腺外胚細胞腫瘍、眼癌、骨の線維性組織球腫、胆嚢癌、胃癌、消化管カルチノイド腫瘍、消化管間質腫瘍（ＧＩＳＴ）、胚細胞腫瘍、妊娠性絨毛腫瘍、有毛細胞白血病、頭頸部癌、心臓癌、肝癌、ホジキンリンパ腫、下咽頭癌、眼内黒色腫、島細胞腫、膵神経内分泌腫瘍、腎癌、喉頭癌、口唇・口腔癌、肝癌、非浸潤性小葉癌（ＬＣＩＳ）、肺癌、リンパ腫、原発不明の転移性頸部扁平上皮癌、正中線管癌、骨髄異形成症候群、骨髄異形成／骨髄増殖性腫瘍、口腔癌、多発性内分泌腫瘍症候群、多発性骨髄腫／形質細胞腫瘍、菌状息肉症、多発性骨髄腫、メルケル細胞癌、悪性中皮腫、骨の悪性線維性組織球腫、骨肉腫、鼻腔・副鼻腔癌、鼻咽頭癌、神経芽細胞腫、非ホジキンリンパ腫、非小細胞肺癌（ＮＳＣＬＣ）、口腔癌、口唇・口腔癌、口腔咽頭癌、卵巣癌、膵癌、乳頭腫症、傍神経節腫、副鼻腔・鼻腔癌、副甲状腺癌、陰茎癌、咽頭癌、胸膜肺芽腫、原発性中枢神経系（ＣＮＳ）リンパ腫、前立腺癌、直腸癌、移行上皮癌、網膜芽細胞腫、横紋筋肉腫、唾液腺癌、皮膚癌、胃癌、小細胞肺癌、小腸癌、軟部組織肉腫、Ｔ細胞リンパ腫、精巣癌、咽喉癌、胸腺腫、胸腺癌、甲状腺癌、腎盂及び尿管の移行上皮癌、絨毛性腫瘍、小児期のまれな癌、尿道癌、子宮肉腫、膣癌、外陰癌、ウイルス誘発性癌、白血病、血液悪性腫瘍、固形腫瘍癌、前立腺癌、去勢抵抗性前立腺癌、乳癌、ユーイング肉腫、骨肉腫、原発性骨肉腫、Ｔ細胞前リンパ球性白血病、神経膠腫、グリア芽腫、肝細胞癌、肝癌、糖尿病、それらの関連疾患、及びそれらの任意の組み合わせ。いくつかの実施形態では、本開示の食品組成物、液体組成物、及び／または乾燥組成物によって治療される対象としては、皮膚の良性過形成（例えば、乾癬）、再狭窄、及び前立腺の良性過形成（例えば、良性前立腺肥大症（ＢＰＨ））などの非癌性過剰増殖性疾患を有すると診断された対象が挙げられる。対象は、癌の遺伝的素因を有し得る。
【０１４８】
システム
【０１４９】
疾患の診断、治療、または予防のために、対象から採取した試料を評価するシステムが、本開示のさらなる態様にしたがって提供され得る。いくつかの実施形態では、本開示は、対象から採取された試料（血液試料）を評価するシステムを提供する。本開示のシステムは、（ａ）通信ユニットであって、試料を処理して試料の定性的及び／または定量的な評価に必要なデータを生成するように構成されたデータ生成装置からデータを受信するように構成された、通信ユニットと、（ｂ）プロセッサであって、認定された分析施設及び／またはその関連組織での試料の定性的及び／または定量的評価のために上記データを処理するプロセッサと、を備える。上記のデータ生成装置は、（ｉ）試料を採取するように構成された試料採取ユニットと、（ｉｉ）定性的及び／または定量的な評価のために生物学的試料を調製するために、試料に、水及び安定化溶媒を含有する生体適合性溶液を添加するように構成された試料調製ユニットと、（ｉｉｉ）認定された分析機関またはその関連機関にデータを送信するように構成された送信ユニットと、を含む。試料は、臨床現場または検査室で採取され得る。
【０１５０】
上記または本明細書の他の箇所に記載のシステムは、単独でまたは組み合わせて、上記の定性的及び／または定量的な評価に関する情報を受信し、任意選択で上記情報を表示するように構成された別の装置を含み得る。上記または本明細書の他の箇所に記載のシステムは、単独でまたは組み合わせて、薬物、代謝物、または栄養素などの検体の検出を実施する。いくつかの実施形態では、試料は、ＣＭＳ法を用いて採取される。いくつかの実施形態では、試料は、医療供給者のオフィス、病院、診療所、薬局、または医療施設で採取される。いくつかの実施形態では、試料は、薬局で採取される。いくつかの実施形態では、試料は、自宅で採取される。上記または本明細書の他の箇所に記載のシステムは、単独でまたは組み合わせて、定性的及び／または定量的な評価は、検体の存在または濃度の検出を実施する。
【０１５１】
上記または本明細書の他の箇所に記載のいくつかのシステムは、単独でまたは組み合わせて、ピンプリックによって生物学的試料を採取する。いくつかの実施形態では、約２〜１００μＬの試料が対象から採取され、検査に使用される。いくつかの実施形態では、生物学的流体は、血液、尿、涙、唾液、汗、精子、または脳脊髄液である。
【０１５２】
施設
【０１５３】
本開示は、本明細書に記載のキットを作製及び／または管理するための施設、並びに、本明細書に記載の方法を使用するための施設を提供する。いくつかの態様では、本開示は、本明細書に記載の複数のキットを備える施設を提供する。特定の実施形態では、本開示の施設は、本明細書に記載のキットまたはその構成要素を製造する。一実施形態では、施設は、製造所である。特定の実施形態では、施設は、本明細書に記載のキットまたはその構成要素を分配する。例えば、施設は、配送センターであり得る。特定の実施形態では、施設は、本明細書に記載のキット及びその構成要素を、患者、医療提供者、病院、診療所、ドラッグストア、薬局、医療施設などに提供する。一実施形態では、施設は、本明細書に開示のキットをドラッグストアに販売する。別の実施形態では、施設は、キットを作製する。別の実施形態では、施設は、キットを対象に提供する。例えば、施設は、病院、診療所、薬局、または医療施設であり得る。施設は、病院、診療所、ドラッグストア、薬局、または医療施設内に存在するか、あるいは、病院、診療所、ドラッグストア、薬局、または医療施設から０．１、０．５、１、または５マイル以内に存在し得る。
【０１５４】
キット
【０１５５】
本開示は、キットを提供する。キットは、本明細書に開示の方法及び／またはシステムに使用することができる。キットは、適切なパッケージ内に収容された本明細書に記載の容器及び溶液と、使用説明書及び副作用のリストなどを含む書類とを備え得る。いくつかの実施形態では、本開示は、（ａ）毛細管作用によって対象から試料を採取するように構成された容器と、（ｂ）生体適合性溶液と、（ｃ）使用説明書と、を備えるキットを提供する。本開示のキットはまた、本明細書に記載の方法の活性及び／または利点を示す、または立証する、及び／または医療提供者及び／または患者に有用な投与、副作用、または他の情報を記載した、科学文献、添付文書資料、及び／またはこれらの要約などの情報を含み得る。いくつかの実施形態では、容器は、対象から少量の試料、例えば１〜５０μＬの試料を抽出するように構成され得る。本明細書に開示のキットのいくつかの実施形態では、生体適合性溶液は、水及び安定化溶媒を含有する。安定化溶媒は、プロトン性極性溶媒を含み得る。安定化溶媒は、メタノール、エタノール、イソプロパノール、またはそれらの任意の組み合わせを含み得る。いくつかの実施形態では、生体適合性溶液は、イソプロパノール及び水を含有する。本明細書に開示のキットのいくつかの実施形態では、キットは、試料を保存するための抗凝固剤などをさらに備える。本明細書に開示のキットのいくつかの実施形態では、キットは、対象の皮膚を穿刺するように構成された穿刺デバイスをさらに備える。本明細書に開示のキットのいくつかの実施形態では、キットは、毛細管をさらに備える。いくつかの実施形態では、使用説明書は、試料を毛細管内に引き出すために毛細管マイクロサンプリング（ＣＭＳ）を実施すること、毛細管を生体適合性溶液と共に容器内に挿入すること、及び、試料が生体適合性溶液中に移動するまで容器を撹拌することを記載する。
【０１５６】
いくつかの実施形態では、試料及び生体適合性溶液のための容器は、キット内の別個の容器として提供される。いくつかの実施形態では、試料及び生体適合性溶液のための容器は、キット内の１つの容器として提供される。適切なパッケージ及び追加の使用物品（例えば、液体調製のための計量カップ、空気への曝露を最小限に抑えるためのホイル包装など）は、当技術分野で公知であり、キットに含まれ得る。本明細書に記載のキットは、医師、看護師、薬物師、処方医などの医療提供者に提供、販売、及び／または販売促進され得る。また、いくつかの実施形態では、キットは、消費者に対して直接的に提供、販売、及び／または販売促進され得る。
【０１５７】
いくつかの実施形態では、本明細書に記載のキットは、複数の検査のためのサプライを含み得る。キットは、サプライの使用期間（日、週、月）を指示する使用説明書を含み得る。
【０１５８】
実施例
【０１５９】
実施例１：ＣＭＳ法及びｉｓｏ−ＣＭＳ法のための安定化溶媒の同定
【０１６０】
代替溶媒を同定するために、図３Ａ及び図３Ｂに示すようにして実施したＣＭＳ条件下で作成した、血液［ＯＮＤＳ］測定値についての標準曲線及び検出感度を調べた。全血を、水と、イソプロパノール、メタノール、及びエタノールのうちの１つ（２５％Ｖ／Ｖ）とを含有する安定化溶液で１０倍に希釈した。これらの溶媒の毒性は、アセトニトリルよりも低い。すなわち、毒性作用が現れるには、より多い用量を必要とする。次いで、これらを使用して、所定量の［ＯＮＤＳ］が滴下された血液試料をアッセイした。アッセイは、上述したようにして実施した。試験した抽出溶媒の全ては、アセトニトリル対照試料と同様の結果を示した（図７Ａ）。イソプロパノールはさらなる試験のために選択され、臨床現場における［ＯＮＤＳ］測定のための安定化溶媒として使用された。再度、これらの試験及び測定を上述したようにして実施した。本研究では、水中にイソプロパノールを２５％Ｖ／Ｖの濃度で含有する安定化溶液を使用してＣＭＳ法を実施した。ｉｓｏ−ＣＭＳ法は、オンダンセトロン（図７Ｂ）投与後のマウス中の［ＯＮＤＳ］を正確に測定することができる。重要なことには、ｉｓｏ−ＣＭＳ法によって測定された［ＯＮＤＳ］は、血漿の分析によって測定したものと同一であった。
【０１６１】
また、ｉｓｏ−ＣＭＳ法は、該方法を用いて採取した試料中の様々な化学構造を有する様々な他の薬物の濃度も正確に測定することができる。すなわち、ｉｓｏ−ＣＭＳ法は、ボセンタン、フロセミド、クレミゾール、イリノテカン、及びイリノテカン代謝物ＳＮ−３８の濃度を正確に測定することができる。これらの薬物の既知量を、対象から採取され、ＣＭＳ法（アセトニトリルを使用）またはｉｓｏ−ＣＭＳ法（イソプロパノールを使用）に使用される安定化溶液で希釈された少量の血液試料に添加した。これらの分析のために、全血を、２５％のアセトニトリルまたは２５％のイソプロパノールと、７５％の水とを含有する安定化溶液で１０倍に希釈した。その後、薬物の濃度を、ＬＣ−ＭＳ分析法を用いて測定した。試料中の薬物濃度に対する、応答比、または測定された応答強度を示すプロットを各薬物について作成した。典型的なデータを示す代表的なプロットを図８に示す。分析結果の線形回帰分析は、ｉｓｏ−ＣＭＳ法がアセトニトリルを使用した方法と同様の直線性及び感度でこれら薬物を測定できることを示した。実際、試験した各薬物について、イソプロパノール安定化溶液は、試験した薬物濃度の範囲でアセトニトリル安定化溶液と同様の結果を示した。したがって、ｉｓｏ−ＣＭＳ法は、血液試料の量は十分に一貫しており、薬物は十分に可溶性を有する。したがって、安定化溶液にイソプロパノールを使用した場合（すなわち、アセトニトリルを使用しない場合）、正確な測定値が得られた。以上の結果を考慮すると、安定化溶液の組成にメタノール、エタノール、またはこれらの混合物を用いた場合にも、ｉｓｏ−ＣＭＳ法と同様の性能を期待できる。
【０１６２】
実施例２：ｉｓｏ−ＣＭＳ法による血液マーカーの検出
【０１６３】
この実施例では、遺伝性疾患の血液マーカーは、本明細書に記載のｉｓｏ−ＣＭＳ法によって正確に測定された。したがって、本研究は、本開示の方法を用いて、遺伝性疾患を、容易に、迅速に、かつ、非侵襲的に診断できることを示した。
【０１６４】
フェニルケトン尿症（ＰＫＵ）は、治療可能な先天性代謝異常症（ＩＥＭ）の一例である。ＰＫＵ（ＯＭＩＭ２６１６００）は常染色体劣性ＩＥＭであり、フェニルアラニン（Ｐｈｅ）代謝を仲介する染色体１２ｑ２３．２上の１７１ｋＢ遺伝子によりコードされる４５２アミノ酸酵素（フェニルアラニン水酸化酵素、ＰＡＨ）の欠損により生じる。毒性Ｐｈｅ代謝産物の蓄積は、成長障害、小頭症、発作、発達遅延、及び重度の知的障害を引き起こす。
【０１６５】
スクリーニング及び治療：ＰＫＵは、効果的な治療法（摂取フェニルアラニンの食事制限）を有する最初の遺伝性疾患である。このため、新生児のＰＫＵスクリーニングは必須である。通常、新生児の血液はヒールスティックを使用して採取され、ろ紙上に移され、タンデムＭＳを用いて分析される。新生児における全血中または血漿中のＰｈｅの上限基準値は、１５０μｍｏｌ／Ｌ未満であり、年長児では、それよりも若干低く、１２０μｍｏｌ／Ｌ未満である。Ｐｈｅ摂取制限は、神経発達障害の予防に非常に効果的であり、少なくとも神経発達の期間を通じて継続するべきである。食事コンプライアンスを評価するために、血中Ｐｈｅ濃度の定期的なモニタリングが実施される。
【０１６６】
本研究では、ｉｓｏ−ＣＭＳ法がＰＫＵの診断に使用できるかどうかを究明しようとした。５人の正常者と５人のＰＫＵ罹患者を含む１０人の対象から、血漿試料を採取した。各試料から採取した８μｌの血漿を、ＥＤＴＡ（Vitrex Medical A/S、デンマーク国）で被覆された８μＬのガラス毛細管チューブ内に入れた。このチューブを、水中にイソプロパノールアルコール（２５％）を含有する水溶液７２μＬと共に遠心分離管に入れた。次いで、この混合物を、十分にボルテックスし、その後、この血漿試料を１／１０に希釈して希釈物を調製した。希釈した試料のアリコートを、内部標準として添加される等量の０．８μＭＤ８−フェニルアラニンと混合させた。３倍の量の氷冷アセトニトリルを添加し、タンパク質を沈殿させ、混合物を遠心分離させた。上清が得られた。上清を蒸発させて乾燥させ、その後、ＨＰＬＣ水中で再懸濁させた。分析は、他の系ではメタボロミクス変化を公正に分析することに成功している、ＬＣ／ＭＳ分析と組み合わせたダンシル誘導体化を用いた半標的メタボロミクス法（ＳＴＭＭ）を用いて行った。ダンシル誘導体化は、逆相カラムでの代謝物分離を改善し、検出感度を１０〜１０００倍増加させる。試料は、本発明者らが以前に開示した方法「Wu M, Zheng M, Zhang W, Suresh S, Schlecht U, Fitch WL, Aronova S, Baumann S, Davis R, St Onge R, Dill DL, Peltz G. 2012. Identification of drug targets by chemogenomic and metabolomic profiling in yeast. Pharmacogenet Genomics 22: 877-86」を用いてダンシル化した。そして、ダンシル化試料を、Ｉｎｆｉｎｉｔｙ１２９０ＵＰＬＣシステムを備えたＡｇｉｌｅｎｔＱＴＯＦ６５２０（米国カリフォルニア州サンタクララ、Ａｇｉｌｅｎｔ）で分析した。フェニルアラニン濃度は、ＡｇｉｌｅｎｔＱＴＯＦ定量分析ソフトウェアを使用して標準曲線と比較して算出した。比較のために、各血漿試料中のアミノ酸濃度を、本発明者らが以前に開示した方法「Le A, Ng A, Kwan T, Cusmano-Ozog K, Cowan TM. 2014. A rapid, sensitive method for quantitative analysis of underivatized amino acids by liquid chromatography-tandem mass spectrometry (LC-MS/MS). J Chromatogr B Analyt Technol Biomed Life Sci 944: 166-74」を用いて、臨床検査室改善修正法案（ＣＬＩＡ）認証を取得した研究室（スタンフォード病理臨床研究所）で測定した。ダンシル化ＣＭＳと直接的な血漿測定との相関を評価するために、ピアソンの相関係数を計算し、観察された相関係数の統計的有意性を、Ｒ（ｗｗｗ．ｒ−ｐｒｏｊｅｃｔ．ｏｒｇ）を用いて評価した。このデータはまた、スピアマンのρ統計を用いて評価した。
【０１６７】
表１に示すように、ｉｓｏ−ＣＭＳ分析により得られた値は、ＣＬＩＡ認定研究所で得られた値と高度に一致した。上記の２つの方法により得られたデータを比較するために計算されたピアソンの相関係数は０．９９７であり、これは、上記の２つの方法で得られた結果が非常に高く相関することを示す。このデータについて計算されたスピアマンのρ統計は０．９６３であった。
【０１６８】
表１：５人の正常者（＃１〜＃５）と５人のＰＫＵ罹患者（＃６〜＃１０）から採取した血漿中のフェニルアラニン濃度（μＭ）の測定値を示す。各血漿試料中のフェニルアラニン濃度（μＭ）を、下記の（ｉ）及び（ｉｉ）の２つの方法を用いて測定した。（ｉ）８μｌの試料を使用した、ダンシル標識を用いたｉｓｏ−ＣＭＳ法；（ｉｉ）ｍｌの試料から得た血漿を使用した、イオン対ＬＣＭＳによる直接アミノ酸測定法。
【０１６９】
【表１】
2021503609.tif 000004
【０１７０】
実施例３：ｉｓｏ−ＣＭＳ法により測定される遺伝性疾患のバイオマーカー
【０１７１】
この実施例では、遺伝性疾患の血液マーカーは、本明細書に記載のｉｓｏ−ＣＭＳ法によって正確に測定された。したがって、本研究は、本開示の方法を用いて、遺伝性疾患を、容易に、迅速に、かつ、非侵襲的に診断できることを示した。
【０１７２】
メープルシロップ尿症（ＭＳＵＤ、ＭＩＭ＃２４８６００）は、常染色体劣性ＩＥＭである。分枝α−ケト酸デヒドロゲナーゼ（ＢＣＫＡＤ）複合体の正常な活性が、変異によって破壊され、これにより、バリン、ロイシン、及びイソロイシンを含む分枝アミノ酸（ＢＣＡＡ）の異化が妨げられる。ＢＣＡＡは、患者の血漿及び尿中で増加する。ＭＳＵＤは、神経学的発達遅延、脳障害、摂食障害、及び尿のメープルシロップ臭を特徴とする。未治療の場合、ＭＳＵＤは、代謝性代償不全、不可逆的な神経学的障害、及び死を引き起こし得る。５つのＩＥＭに対するＭＳ／ＭＳスクリーニングデータの最近の分析は、それらの出生率が西洋人集団において出生１０万人当たり０．５〜１．０６の範囲であることを示している。ＭＳＵＤ０．７１、ホモシスチン尿症０．５３、グルタル酸尿症１．０６、イソ吉草酸血症０．７９、長鎖３−ヒドロキシアシルＣｏＡデヒドロゲナーゼ欠損症０．６５。これらの出生率は、通常、世界中の集団を調べた場合よりも高い。
【０１７３】
ＢＣＡＡの異化は正常な生理学的機能に不可欠であり、ＢＣＡＡの異化のほとんどは、（肝臓でなく）骨格筋で起こる。脳においては、ＢＣＡＡ代謝は、脳の発達と機能において重要な役割を果たす神経伝達物質であるグルタミン酸量を維持するのに不可欠である。また、ロイシンが蓄積すると、高度の神経毒性が発現する。ＢＫＡＤは、Ｅ１α、Ｅ１β、Ｅ２、及びＥ３のサブユニットからなる。ＢＫＡＤ活性がＭＳＵＤを引き起こす、これらのサブユニットにおけるホモ接合性または複合ヘテロ接合性突然変異。ＭＳＵＤの古典的形態は、新生児期に存在し、ＢＣＫＡＤ酵素活性の２％未満と関連している。ＭＳＵＤの中間形態もあり、これは、正常なＢＣＫＡＤ酵素活性の３０％と関連しており、通常は異化状態を伴う一時的な症状を呈する。
【０１７４】
スクリーニング及び治療：ＢＣＡＡは、タンパク質を豊富に含む食事に含まれており、人間の生命に不可欠な９つのアミノ酸のうちの１つである。ＭＳＵＤ治療は、ＢＣＡＡの食事制限及び代謝モニタリングからなる。早期に治療を開始すれば、転帰は非常に良好になる。そのため、新生児は、定期的にＭＳＵＤのスクリーニングを受ける。２０１１年に、血斑及び血漿中の分岐鎖アミノ酸濃度を定量するための高速型高スループット逆相ＬＣ／ＭＳ法が開発された。この方法は、ロイシン、イソロイシン、及びアロイソロイシンを分離及び定量することができる。カリフォルニアでは、過去４年間に２２０万人以上の乳児がスクリーニングされ、１７例のＭＳＵＤ症例が検出され、３例が見逃された。見逃された５例のレトロスペクティブ分析では、従来の基準（ロイシン＞２００μＭ，ロイシン／アラニン比＞１．５）を満たす症例が存在しないことが示され、間欠型のＭＳＵＣであると考えられた。見逃された症例のうちの２例は、イソロイシン代謝物（アロ−イソロイシン）の濃度が増加していた。したがって、場合によっては、アロ−イソロイシンの第２段階スクリーニングを実施することが重要となり得る。
【０１７５】
ダンシル標識を使用するｉｓｏ−ＣＭＳ法を用いてＭＳＵＤを診断できるかどうかを判断するために、本発明者らは、上記の１０の試料におけるロイシン、バリン、及びイソロイシンの濃度を測定した。表２に示すように、ｉｓｏ−ＣＭＳ分析により得られた値は、ＣＬＩＡ認定試験所で得られた値と高度に一致した。
【０１７６】
表２：分枝鎖アミノ酸（ＢＣＡＡ）の血漿中濃度（μＭ）を、５人の正常者（＃１〜＃５）及び５人のＰＫＵ罹患者（＃６〜＃１０）において測定した。各血漿試料中のＢＣＡＡ濃度は、下記の（ｉ）及び（ｉｉ）の２つ方法で測定した。（ｉ）ダンシル標識を用いたｉｓｏ−ＣＭＳ法；（ｉｉ）イオン対ＬＣＭＳによる直接アミノ酸測定法。上記の２つの方法により得られたデータを比較するために計算されたピアソンの相関係数とスピアマンのρ統計は、各アミノ酸の下側に記載した。上記の２つの方法により得られた結果は、非常に高く相関した。
【０１７７】
【表２】
2021503609.tif 000005
【０１７８】
実施例４：他のアミノ酸の血漿中濃度の測定
【０１７９】
ダンシル標識を用いたｉｓｏ−ＣＭＳ法を使用して他のＩＥＭを診断できるかどうかを判断するために、上記の１０の試料中のアルギニン、メチオニン、及びチロシンの濃度を測定した。表３に示すように、ｉｓｏ−ＣＭＳ分析により得られた値は、ＣＬＩＡ認定試験所で得られた値と高度に一致した。これらの結果は、どのアミノ酸も、ダンシル（または他のＳＴＭＭ）標識を用いたｉｓｏ−ＣＭＳ法によって定量的に分析できることを示す。
【０１８０】
表３：他の３種類のアミノ酸の血漿中濃度（μＭ）を、５人の正常者（＃１〜＃５）及び５人のＰＫＵ罹患者（＃６〜＃１０）において測定した。各血漿試料中の濃度は、下記の（ｉ）及び（ｉｉ）の２つ方法で測定した。（ｉ）ダンシル標識を用いたｉｓｏ−ＣＭＳ法；（ｉｉ）イオン対ＬＣＭＳによる直接アミノ酸測定法。上記の２つの方法により得られたデータを比較するために計算されたピアソンの相関係数とスピアマンのρ統計は、各アミノ酸の下側に記載した。上記の２つの方法により得られた結果は、非常に高く相関した。
【０１８１】
【表３】
2021503609.tif 000006
【０１８２】
実施例５：オピエイト分析
【０１８３】
上述のオピエイト類中の第三級アミンは、それらがエレクトロスプレーイオン化後に効率的に検出できることを確実にする。非常に高感度で特異的なＬＣ／ＭＳ分析法が開発され、オピエイトの定量に広く用いられている。これらのアッセイは、ここでは、ヘロイン、モルヒネ、コデイン、オキシコドン及びその代謝産物（ノルオキシコドン、オキシモルホン）、ヒドロコドン及びその代謝産物（ヒドロモルホン）、メサドン、ブプレノルフィン、及びフェンタニルに対するｉＣＯＡＭとして適合されている。これらオピエイト類の８種（モルヒネ、コデイン、オキシモルホン、オキシコドン、ノルオキシコドン、ヒドロコドン、ヒドロモルホン、及びフェンタニル）（３つを図９に示す）の検出感度を評価する標準曲線を作成した。
【０１８４】
８μＬのＣＭＳ試料からの全血を、水中にイソプロパノールを含有する安定化溶液（２５％／７５％Ｖ／Ｖ）で１０倍に希釈した。このことは、微量遠心管内に毛細管を挿入し、血液が安定化溶液中に分散するまで試料をボルテックスすることによって達成された。このようにして、ｉｓｏ−ＣＭＳ試料を調製した。
【０１８５】
これらの試験では、重水素化類似体（Ｓｉｇｍａ）を内部標準物質として使用した。各ｉｓｏ−ＣＭＳ血液試料５０μｌに、これらの内部標準の混合物を指示濃度で滴下させた。タンパク質を沈殿させるために、冷たいアセトニトリルを添加した。試料を乾燥させ、５％アセトニトリル／０．１％ギ酸中で再懸濁させ、Ｐｈｅｎｏｍｅｎｅｘ（アメリカ合衆国カリフォルニア州トーランス）のｐｏｒｅｓｈｅｌｌｋｉｎｅｔｅｘＣ１８（２．０ｘ１００）カラムを用いたＵＨＰＬＣＩｎｆｉｎｉｔｙ１２９０と組み合わせたＡｇｉｌｅｎｔＱＴＯＦ６５２０で分析した。移動相Ａは０．１％ギ酸、移動相Ｂはアセトニトリルであり、勾配は１５分で５％から５０％Ｂまで行った。各オピエイトの定量下限（ＬｏＱ）は、検量線から決定した。標準ｉｓｏ−ＣＭＳ試料の１／１０の量を注入した場合、８つの薬物の各々に対するＬｏＱは＜０．５ｎｇ／ｍｌであった（図９）。これらのオピオイドについて既知の必要最小限の血漿中鎮痛剤濃度（ＭＥＡＣ）（ｎｇ／ｍｌ）は、フェンタニル（０．６）、ヒドロモルホン（１．５）、モルヒネ（８）、メサドン（６０）である。これらの結果は、これらのオピオイドのＭＥＡＣが、本発明者らのｉｓｏ−ＣＭＳ法によって容易に検出できることを示す。
【０１８６】
これらのアッセイは、ＳＵＨでオピエイト治療患者から得られた静脈穿刺試料及びｉｓｏ−ＣＭＳ法により同時に得られた「オピエイト」を測定した。ヘロインは米国では治療薬として使用されていないが、他の薬物はすべて、ＳＵＨ手術室で頻繁に使用されている。
【０１８７】
実施例６：治療薬物の測定
【０１８８】
オピエイト類に加えて、ｉｓｏ−ＣＭＳ法は、様々な治療薬物及びその代謝産物の血漿中濃度を測定するために使用することができる。これは、患者の安全性にとって非常に重要である。その理由は、薬物が、その治療濃度域、すなわち患者に重大な副作用を引き起こさずに治療効果をもたらす用量の範囲外に存在した場合、薬物は、役に立たなくなったり危険になったりするからである。薬物の濃度がその治療濃度域外である場合、薬物は、もはや治療効果を発揮しない。また、薬物の濃度がその治療濃度域を超えた場合には、薬物は、患者に有害な作用を発揮し始める。このことは、一般に「安全」と見なされている薬物についても当てはまる。
【０１８９】
特に興味深いのは、抗凝固性を有するビタミンＫ拮抗薬であるワルファリンである。ワルファリンは、静脈血栓症の予防及び治療、並びに心房細動に関連する血栓塞栓性合併症の予防及び治療のための経口薬として一般に処方される。ワルファリンはまた、再発性の一過性脳虚血発作を予防し、再発性心筋梗塞のリスクを低下させるために使用されている。
【０１９０】
ワルファリン療法は治療濃度域が極めて狭く、様々な薬物−薬物相互作用、及び薬物−食物相互作用と関連している。このことは、ワルファリン治療中の患者は、過量投与に起因する副作用（重度の出血を含む。また、死に至る可能性がある）のリスクが常にあることを意味する。したがって、ワルファリン療法を受けている患者は常にモニタリングする必要があり、そのため、血液検査を頻繁に受けなければならない。
【０１９１】
静脈穿刺ベースの血液検査は、痛みを伴うため不便である。ｉｓｏ−ＣＭＳ法は、血液検査の痛みを軽減し、迅速化することができ、また、各検査で患者から採取する血液の量を減らすことができる。このように、ｉｓｏ−ＣＭＳ法は、ワルファリン療法または他の薬物療法を受けている患者の治療結果を改善することができる。
【０１９２】
ＣＭＳ試料からの全血は、水とイソプロパノール（２５％／７５％Ｖ／Ｖ）とを含有する安定化溶液（安定化溶液）で１０倍に希釈することができる。このことは、微量遠心管内に毛細管を挿入し、血液が安定化溶液中に分散するまで試料をボルテックスすることによって達成され得る。このようにして、ｉｓｏ−ＣＭＳ試料を調製した。次いで、この調製されたＣＭＳ試料をＬＣＭＳ分析に供して、血液中のワルファリンの量を測定し、測定のためのゴールドスタンダードと比較することができる。以下の他の薬物測定例の結果を考慮すると、ｉｓｏ−ＣＭＳ法は、血液または他の体液中のワルファリンまたは他の薬物を測定することが可能な試料を取得するために使用できると期待される。
【０１９３】
実施例７：ｉｓｏ−ＣＭＳ法により採取された試料の分析精度
【０１９４】
４種類の薬物、デキサメタゾン、メサドン、ガバペンチン、及びオンダンステトロンを異なる対象に投与した。静脈穿刺法及びｉｓｏ−ＣＭＳ法の各方法を用いて各患者から血液を採取し、ｉｓｏ−ＣＭＳ法を用いて採取した試料中の薬物量を、静脈穿刺法（ゴールドスタンダード）を用いて採取した試料中の薬物量と比較した。
【０１９５】
１５人のヒト対象に対して、少なくとも１つの安全な用量のデキサメタゾンを経口投与した。デキサメタゾンの投与後、デキサメタゾンが全身中に分散することができるように、対象は、３０分〜２４時間の待機期間を待機した。
【０１９６】
追加の７人の対象に対して、少なくとも１つの安全な用量のメサドンを経口投与した。メサドンの投与後、メサドンが全身中に分散することができるように、対象は、１時間〜３０時間の待機期間を待機した。
【０１９７】
８人の追加の対象に対して、少なくとも１つの安全な用量のガバペンチンを経口投与した。ガバペンチンの投与後、ガバペンチンが全身中に分散することができるように、対象は、４時間〜２４時間の待機期間を待機した。
【０１９８】
手術を受けたばかりの４４人の対象に対して、少なくとも１つの安全な用量のオンダンセトロンを経口投与した。オンダンセトロンの投与後、対象は、２時間〜１２時間の待機期間を待機した。
【０１９９】
上記の４つの群の各々において、少なくとも１ｍＬの血液を静脈穿刺によって採取し、血液から血漿を分離し、貯蔵した（静脈穿刺試料）。それと同時に、８μＬの血液を、本明細書に記載のｉｓｏ−ＣＭＳ法の一実施形態を用いて、毛細管内に採取した（ＣＭＳ試料）。
【０２００】
ＣＭＳ試料からの全血を、水とイソプロパノール（２５％／７５％Ｖ／Ｖ）とを含有する安定化溶液で１０倍に希釈した。このことは、微量遠心管に毛細管を挿入し、血液が安定化溶液中に分散するまで試料をボルテックスすることによって達成された。このようにして、ＣＭＳ試料を調製した。
【０２０１】
静脈穿刺試料及び調製したＣＭＳ試料の両方を、各試料で予想される薬物の検出のための特定のプロトコルを用いてＬＣＭＳ分析に供した。例えば、デキサメタゾンが投与された患者から採取した試料を、試料中のデキサメタゾンを正確かつ精密に定量することができるＬＣＭＳプロトコルに供した。
【０２０２】
各薬物の標準曲線も作成し、各試料中の薬物量を定量し、他の試料と比較できるようにＬＣＭＳ装置で分析した。各薬物の適切な標準曲線を用いて、各試料中の薬物量を計算した。データは、静脈穿刺試料を用いて測定した血漿薬物量と、調製したＣＭＳ試料を用いて測定した血漿中薬物量との関係としてプロットした。このようにして、試料中の各薬物の量を正確に測定するためのｉｓｏ−ＣＭＳ法の信頼性を可視化した。
【０２０３】
各プロットについて、線形曲線をデータにフィットさせ、Ｒ２値を計算した。Ｒ２値は、測定値の相関を示す測定値であり、０〜１の範囲である。０は、相関しないことを示す、１は、完全な１：１の相関であること、すなわち各採取方法の測定値が互いで同一であることを示す。さらに、ピアソン相関とスピアマン順位相関を、これらのデータセットのいくつかについて計算した。ピアソン相関は、２つの変数間の線形相関の尺度であり、０〜１の範囲をとり、１は完全な相関を示す。スピアマン順位相関は、２つの変数間の関係が単調関数を使用してどの程度良好に記述できるかを評価する、順位相関のノンパラメトリック尺度である。簡単に言うと、これも、０〜１の範囲をとり、１は、２つの変数間の完全な相関を示す。
【０２０４】
図１０は、２つの採取方法で採取された試料のＬＣＭＳ分析によって測定されたデキサメタゾン濃度を示すグラフである。グラフ中の各点は、１人の対象を示す。ｘ軸は、ｉｓｏ−ＣＭＳ法を用いて得られた試料において測定された血漿中デキサメタゾン濃度をｍｇ／ｍｌで表し、ｙ軸は、静脈穿刺法を用いて得られた試料において測定された血漿中デキサメタゾン濃度をｎｇ／ｍｌで表す。線形フィットが計算され、破線で示されている。ピアソン及びスピアマンの順位相関値はそれぞれ０．９５及び０．９３であり、良好な相関を示した。これは、ｉｓｏ−ＣＭＳ法は、デキサメタゾンを正確に測定できることを示唆する。
【０２０５】
図１１は、２つの採取方法で採取された試料のＬＣＭＳ分析によって測定されたメサドン濃度を示すグラフである。グラフ中の各点は、１人の対象を示す。ｘ軸は、静脈穿刺法を用いて得られた試料において測定された血漿中メサドン濃度をｍｇ／ｍｌで表し、ｙ軸は、ｉｓｏ−ＣＭＳ法を用いて得られた試料において測定された血漿中メサドン濃度をｎｇ／ｍｌで表す。線形フィットが計算され、破線で示されている。Ｒ２値は０．９１と計算され、良好な相関を示した。これは、ｉｓｏ−ＣＭＳ法は、メサドンを正確に測定できることを示唆する。
【０２０６】
図１２は、２つの採取方法で採取された試料のＬＣＭＳ分析によって測定されたガバペンチン濃度を示すグラフである。グラフ中の各点は、１人の対象を示す。ｘ軸は、静脈穿刺法を用いて得られた試料において測定された血漿中ガバペンチン濃度をｍｇ／ｍｌで表し、ｙ軸は、ｉｓｏ−ＣＭＳ法を用いて得られた試料において測定された血漿中ガバペンチン濃度をｎｇ／ｍｌで表す。線形フィットが計算され、破線で示されている。Ｒ２値は０．９５と計算し、良好な相関を示した。これは、ｉｓｏ−ＣＭＳは、ガバペンチンを正確に測定できることを示唆する。
【０２０７】
図１３Ａ及び図１３Ｂでは、２つの採取方法で採取された試料のＬＣＭＳ分析によって測定されたオンダンセトロン濃度を示すグラフである。グラフ中の各点は、１人の対象を示す。ｘ軸は、静脈穿刺法を用いて得られた試料において測定された血漿中オンダンセトロン濃度をｍｇ／ｍｌで表し、ｙ軸は、ｉｓｏ−ＣＭＳ法を用いて得られた試料において測定された血漿中オンダンセトロン濃度をｎｇ／ｍｌで表す。図１３Ａは、血漿オンダンセトロンの異常に高い濃度を有する対象を含む、全ての患者のデータを示す。図１３Ｂは、１５〜６０ｎｇ／ｍｌの範囲のオンダンセトロン濃度を有する対象のデータを示す。線形フィットが計算され、破線で示されている。Ｒ２値は０．９９９と計算し、良好な相関を示した。これは、ｉｓｏ−ＣＭＳは、オンダンセトロンを正確に測定できることを示唆する。
【０２０８】
以上、本発明のいくつかの好適な実施形態を説明したが、これらの実施形態が例示のためだけに提供されていることは当業者には明らかであろう。様々な変形、変更、及び置換が、本発明から逸脱することなく、当業者により想起されるであろう。本明細書に記載された本発明の実施形態に対する様々な代替物が、本発明の実施に使用され得ることを理解されたい。添付の特許請求の範囲は、本発明の範囲を定義すること、並びに、特許請求の範囲の範囲内の方法、構造、及びそれらの均等物を包含することを意図している。
【図１】
2021503609.tif 000007
【図２Ａ】
2021503609.tif 000008
【図２Ｂ】
2021503609.tif 000009
【図３Ａ】
2021503609.tif 000010
【図３Ｂ】
2021503609.tif 000011
【図４Ａ】
2021503609.tif 000012
【図４Ｂ】
2021503609.tif 000013
【図５】
2021503609.tif 000014
【図６】
2021503609.tif 000015
【図７Ａ】
2021503609.tif 000016
【図７Ｂ】
2021503609.tif 000017
【図８】
2021503609.tif 000018
【図９】
2021503609.tif 000019
【図１０】
2021503609.tif 000020
【図１１】
2021503609.tif 000021
【図１２】
2021503609.tif 000022
【図１３Ａ】
2021503609.tif 000023
【図１３Ｂ】
2021503609.tif 000024
【国際調査報告】
2021503609.tif 000025
2021503609.tif 000026